(57)【要約】  ある実施形態によれば、ネットワークノードのＣＵ−ＣＰによりＴＥＩＤを割当てるための方法は、ＣＵ−ＵＰから、ＤＲＢに関連付けれられる少なくとも１つのアップリンクＴＥＩＤ（ＵＬ  ＴＥＩＤ）を受信すること、を含む。前記少なくとも１つのＵＬ  ＴＥＩＤは、分散ユニット（ＤＵ）へ送信される。前記ＤＲＢに関連付けれられる少なくとも１つのダウンリンクＴＥＩＤ（ＤＬ  ＴＥＩＤ）が前記ＤＵから受信される。そして、前記ＤＲＢに関連付けられる前記少なくとも１つのＤＬ  ＴＥＩＤが、前記ＣＵ−ＵＰへ送信される。【選択図】図６
2021503772.tif 000002
【特許請求の範囲】
【請求項１】
ネットワークノードの中央ユニット制御プレーン（ＣＵ−ＣＰ）によりトンネルエンドポイント識別子（ＴＥＩＤ）を割当てるための方法であって、
中央ユニットユーザプレーン（ＣＵ−ＵＰ）から、データ無線ベアラ（ＤＲＢ）に関連付けられる少なくとも１つのアップリンクＴＥＩＤ（ＵＬ  ＴＥＩＤ）を受信することと、
分散ユニット（ＤＵ）へ、前記ＤＲＢに関連付けられる前記少なくとも１つのＵＬ  ＴＥＩＤを送信することと、
前記ＤＵから、前記ＤＲＢに関連付けれられる少なくとも１つのダウンリンクＴＥＩＤ（ＤＬ  ＴＥＩＤ）を受信することと、
前記ＣＵ−ＵＰへ、前記ＤＲＢに関連付けられる前記少なくとも１つのＤＬ  ＴＥＩＤを送信することと、を含む方法。
【請求項２】
請求項１に記載の方法であって、
前記少なくとも１つのＵＬ  ＴＥＩＤ及び前記少なくとも１つのＤＬ  ＴＥＩＤは順に交換され、前記少なくとも１つのＤＬ  ＴＥＩＤが前記ＤＵから受信され前記ＣＵ−ＵＰへ送信される前に、前記少なくとも１つのＵＬ  ＴＥＩＤが前記ＣＵ−ＵＰから受信され前記ＤＵへ送信される、方法。
【請求項３】
請求項２に記載の方法であって、
前記ＣＵ−ＣＰにより、前記ＣＵ−ＵＰへベアラセットアップ要求を送信すること、をさらに含み、
前記ＤＲＢに関連付けられる前記少なくとも１つのＵＬ  ＴＥＩＤは、ベアラセットアップ応答において前記ＣＵ−ＵＰから受信される、方法。
【請求項４】
請求項２〜３のいずれか１項に記載の方法であって、
前記ＤＲＢに関連付けられる前記少なくとも１つのＵＬ  ＴＥＩＤは、コンテキストセットアップ要求において前記ＤＵへ送信され、
前記ＤＲＢに関連付けられる前記少なくとも１つのＤＬ  ＴＥＩＤは、コンテキストセットアップ応答において前記ＤＵから受信される、方法。
【請求項５】
請求項２〜４のいずれか１項に記載の方法であって、
前記ＤＵから受信されるものとしての前記ＤＲＢに関連付けられる前記少なくとも１つのＤＬ  ＴＥＩＤは、ベアラ修正要求として前記ＣＵ−ＵＰへ送信され、
前記方法は、前記ＣＵ−ＣＰにより、前記ＣＵ−ＵＰからベアラ修正応答を受信すること、をさらに含む、方法。
【請求項６】
請求項１に記載の方法であって、前記少なくとも１つのＵＬ  ＴＥＩＤ及び前記少なくとも１つのＤＬ  ＴＥＩＤは、順に交換され、前記少なくとも１つのＵＬ  ＴＥＩＤが前記ＣＵ−ＵＰから受信され前記ＤＵへ送信される前に、前記少なくとも１つのＤＬ  ＴＥＩＤが前記ＤＵから受信され前記ＣＵ−ＵＰへ送信される、方法。
【請求項７】
請求項６に記載の方法であって、前記ＣＵ−ＵＰから、前記ＤＲＢに関連付けられる前記少なくとも１つのＵＬ  ＴＥＩＤを受信することに先立って、前記方法は、
前記ＤＵへ、コンテキストセットアップ要求において前記ＤＲＢに関連付けられる一時的なＵＬ  ＴＥＩＤを送信すること、を含み、
前記ＤＲＢに関連付けられる前記少なくとも１つのＤＬ  ＴＥＩＤは、コンテキストセットアップ応答として前記ＤＵから受信され、
前記ＤＲＢに関連付けられる前記少なくとも１つのＤＬ  ＴＥＩＤは、ベアラセットアップ要求において前記ＣＵ−ＵＰへ送信され、
前記ＤＲＢに関連付けられる前記少なくとも１つのＵＬ  ＴＥＩＤは、ベアラセットアップ応答において前記ＣＵ−ＵＰから受信される、方法。
【請求項８】
請求項１に記載の方法であって、前記ＤＲＢに関連付けられる前記少なくとも１つのＵＬ  ＴＥＩＤ及び前記ＤＲＢに関連付けられる前記少なくとも１つのＤＬ  ＴＥＩＤは、並列で交換される、方法。
【請求項９】
請求項８に記載の方法であって、
前記少なくとも１つのＵＬ  ＴＥＩＤ及び前記少なくとも１つのＤＬ  ＴＥＩＤを並列で交換することは、
前記ＣＵ−ＣＰにより、前記ＣＵ−ＵＰへベアラセットアップ要求を送信することと、
前記ＣＵ−ＣＰにより、前記ＤＵへＵＥコンテキストセットアップ要求を送信することと、を含み、
前記ＤＲＢに関連付けられる前記少なくとも１つのＵＬ  ＴＥＩＤは、ベアラセットアップ応答において前記ＣＵ−ＵＰから受信され、
前記ＤＲＢに関連付けられる前記少なくとも１つのＤＬ  ＴＥＩＤは、コンテキストセットアップ応答において前記ＤＵから受信され、
前記ＤＲＢに関連付けられる前記少なくとも１つのＤＬ  ＴＥＩＤは、ベアラ修正要求において前記ＣＵ−ＵＰへ送信され、
前記ＤＲＢに関連付けられる前記少なくとも１つのＵＬ  ＴＥＩＤは、ＵＥコンテキスト修正要求において前記ＤＵへ送信される、方法。
【請求項１０】
請求項１〜９のいずれか１項に記載の方法であって、
前記少なくとも１つのＵＬ  ＴＥＩＤは、複数のＵＬ  ＴＥＩＤを含み、前記複数のＵＬ  ＴＥＩＤの各々は、複数のＤＲＢのうちのそれぞれ１つに関連付けられ、
前記少なくとも１つのＤＬ  ＴＥＩＤは、複数のＤＬ  ＴＥＩＤを含み、前記複数のＤＬ  ＴＥＩＤの各々は、前記複数のＤＲＢのうちのそれぞれ１つに関連付けられる、方法。
【請求項１１】
コンピュータ読取可能なプログラムコードを記憶する非一時的なコンピュータ読取可能な媒体を含むコンピュータプログラムプロダクトであって、前記コンピュータ読取可能なプログラムコードは、請求項１〜１０に記載の方法のいずれかを実行するためのプログラムコードを含む、コンピュータプログラムプロダクト。
【請求項１２】
トンネルエンドポイント識別子（ＴＥＩＤ）を割当てるためのネットワークノードの中央ユニット制御プレーン（ＣＵ−ＣＰ）であって、
命令群を記憶するように動作可能なメモリと、
処理回路と、を備え、前記処理回路は、前記命令群を実行して、前記ネットワークノードに、
中央ユニットユーザプレーン（ＣＵ−ＵＰ）から、データ無線ベアラ（ＤＲＢ）に関連付けられる少なくとも１つのアップリンクＴＥＩＤ（ＵＬ  ＴＥＩＤ）を受信することと、
分散ユニット（ＤＵ）へ、前記ＤＲＢに関連付けられる前記ＵＬ  ＴＥＩＤを送信することと、
前記ＤＵから、前記ＤＲＢに関連付けれられる少なくとも１つのダウンリンクＴＥＩＤ（ＤＬ  ＴＥＩＤ）を受信することと、
前記ＣＵ−ＵＰへ、前記ＤＲＢに関連付けられる前記少なくとも１つのＤＬ  ＴＥＩＤを送信することと、を行わせるように動作可能である、前記ネットワークノードのＣＵ−ＣＰ。
【請求項１３】
請求項１２に記載のＣＵ−ＣＰであって、
前記少なくとも１つのＵＬ  ＴＥＩＤ及び前記少なくとも１つのＤＬ  ＴＥＩＤは、順に交換され、前記少なくとも１つのＤＬ  ＴＥＩＤが前記ＤＵから受信され前記ＣＵ−ＵＰへ送信される前に、前記少なくとも１つのＵＬ  ＴＥＩＤが前記ＣＵ−ＵＰから受信され前記ＤＵへ送信される、ＣＵ−ＣＰ。
【請求項１４】
請求項１３に記載のＣＵ−ＣＰであって、前記処理回路は、前記命令群を実行して、前記ネットワークノードに、
前記ＣＵ−ＣＰにより、前記ＣＵ−ＵＰへベアラセットアップ要求を送信すること、を行わせるように動作可能であり、
前記ＤＲＢに関連付けられる前記少なくとも１つのＵＬ  ＴＥＩＤは、ベアラセットアップ応答において前記ＣＵ−ＵＰから受信される、ＣＵ−ＣＰ。
【請求項１５】
請求項１３〜１４のいずれか１項に記載のＣＵ−ＣＰであって、
前記ＤＲＢに関連付けられる前記少なくとも１つのＵＬ  ＴＥＩＤは、コンテキストセットアップ要求において前記ＤＵへ送信され、
前記ＤＲＢに関連付けられる前記少なくとも１つのＤＬ  ＴＥＩＤは、コンテキストセットアップ応答において前記ＤＵから受信される、ＣＵ−ＣＰ。
【請求項１６】
請求項１３〜１５のいずれか１項に記載のＣＵ−ＣＰであって、
前記ＤＵから受信されるものとしての前記ＤＲＢに関連付けられる前記少なくとも１つのＤＬ  ＴＥＩＤは、ベアラ修正要求として前記ＣＵ−ＵＰへ送信され、
前記処理回路は、前記命令群を実行して、前記ネットワークノードに、前記ＣＵ−ＣＰにより、前記ＣＵ−ＵＰからベアラ修正応答を受信すること、を行わせるように動作可能である、ＣＵ−ＣＰ。
【請求項１７】
請求項１２に記載のＣＵ−ＣＰであって、前記少なくとも１つのＵＬ  ＴＥＩＤ及び前記少なくとも１つのＤＬ  ＴＥＩＤは、順に交換され、前記少なくとも１つのＵＬ  ＴＥＩＤが前記ＣＵ−ＵＰから受信され前記ＤＵへ送信される前に、前記少なくとも１つのＤＬ  ＴＥＩＤが前記ＤＵから受信され前記ＣＵ−ＵＰへ送信される、ＣＵ−ＣＰ。
【請求項１８】
請求項１７に記載のＣＵ−ＣＰであって、前記ＣＵ−ＵＰから、前記ＤＲＢに関連付けられる前記少なくとも１つのＵＬ  ＴＥＩＤを受信することに先立って、前記処理回路は、前記命令群を実行して、前記ネットワークノードに、
前記ＤＵへ、コンテキストセットアップ要求において前記ＤＲＢに関連付けられる一時的なＵＬ  ＴＥＩＤを送信すること、を行わせるように動作可能であり、
前記ＤＲＢに関連付けられる前記少なくとも１つのＤＬ  ＴＥＩＤは、コンテキストセットアップ応答として前記ＤＵから受信され、
前記ＤＲＢに関連付けられる前記少なくとも１つのＤＬ  ＴＥＩＤは、ベアラセットアップ要求において前記ＣＵ−ＵＰへ送信され、
前記ＤＲＢに関連付けられる前記少なくとも１つのＵＬ  ＴＥＩＤは、ベアラセットアップ応答において前記ＣＵ−ＵＰから受信される、ＣＵ−ＣＰ。
【請求項１９】
請求項１２に記載のＣＵ−ＣＰであって、前記ＤＲＢに関連付けられる前記少なくとも１つのＵＬ  ＴＥＩＤ及び前記ＤＲＢに関連付けられる前記少なくとも１つのＤＬ  ＴＥＩＤは、並列で交換される、ＣＵ−ＣＰ。
【請求項２０】
請求項１９に記載のＣＵ−ＣＰであって、前記少なくとも１つのＵＬ  ＴＥＩＤ及び前記少なくとも１つのＤＬ  ＴＥＩＤを並列に交換する際に、前記処理回路は、前記命令群を実行して、前記ネットワークノードに、
前記ＣＵ−ＣＰにより、前記ＣＵ−ＵＰへベアラセットアップ要求を送信することと、
前記ＣＵ−ＣＰにより、前記ＤＵへＵＥコンテキストセットアップ要求を送信することと、を行わせるように動作可能であり、
前記ＤＲＢに関連付けられる前記少なくとも１つのＵＬ  ＴＥＩＤは、ベアラセットアップ応答において前記ＣＵ−ＵＰから受信され、
前記ＤＲＢに関連付けられる前記少なくとも１つのＤＬ  ＴＥＩＤは、コンテキストセットアップ応答において前記ＤＵから受信され、
前記ＤＲＢに関連付けられる前記少なくとも１つのＤＬ  ＴＥＩＤは、ベアラ修正要求において前記ＣＵ−ＵＰへ送信され、
前記ＤＲＢに関連付けられる前記少なくとも１つのＵＬ  ＴＥＩＤは、ＵＥコンテキスト修正要求において前記ＤＵへ送信される、ＣＵ−ＣＰ。
【請求項２１】
請求項１２〜２０のいずれか１項に記載のＣＵ−ＣＰであって、
前記少なくとも１つのＵＬ  ＴＥＩＤは、複数のＵＬ  ＴＥＩＤを含み、前記複数のＵＬ  ＴＥＩＤの各々は、複数のＤＲＢのうちのそれぞれ１つに関連付けられ、
前記少なくとも１つのＤＬ  ＴＥＩＤは、複数のＤＬ  ＴＥＩＤを含み、前記複数のＤＬ  ＴＥＩＤの各々は、前記複数のＤＲＢのうちのそれぞれ１つに関連付けられる、ＣＵ−ＣＰ。
【請求項２２】
トンネルエンドポイント識別子（ＴＥＩＤ）を割当てるための、ネットワークノードによる方法であって、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとの少なくとも１つのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記少なくとも１つのＵＬ  ＴＥＩＤを含むコンテキストセットアップ要求をＤＵへ送信することと、
前記ＣＵ−ＣＰにより、ベアラごとの少なくとも１つのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信されたものとしてのベアラごとの前記少なくとも１つの１つのＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を含む方法。
【請求項２３】
トンネルエンドポイント識別子を割当てるための、ネットワークノードであって、
命令群を記憶するように動作可能なメモリと、
処理回路と、を備え、前記処理回路は、前記命令群を実行して、前記ネットワークノードに、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとの少なくとも１つのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記少なくとも１つのＵＬ  ＴＥＩＤを含むコンテキストセットアップ要求をＤＵへ送信することと、
前記ＣＵ−ＣＰにより、ベアラごとの少なくとも１つのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信されたものとしてのベアラごとの前記少なくとも１つの１つのＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を行わせるように動作可能である、ネットワークノード。
【請求項２４】
ユーザ機器（ＵＥ）から基地局への送信信号に由来するユーザデータを受け付けるように構成される通信インタフェースを備えるホストコンピュータを含む通信システムであって、前記基地局は、無線インタフェース及び処理回路を備え、前記基地局の処理回路は、
中央ユニットユーザプレーン（ＣＵ−ＵＰ）から、データ無線ベアラ（ＤＲＢ）に関連付けられる少なくとも１つのアップリンクＴＥＩＤ（ＵＬ  ＴＥＩＤ）を受信し、
分散ユニット（ＤＵ）へ、前記ＤＲＢに関連付けられる前記少なくとも１つのＵＬ  ＴＥＩＤを送信し、
前記ＤＵから、前記ＤＲＢに関連付けれられる少なくとも１つのダウンリンクＴＥＩＤ（ＤＬ  ＴＥＩＤ）を受信し、
前記ＣＵ−ＵＰへ、前記ＤＲＢに関連付けられる前記少なくとも１つのＤＬ  ＴＥＩＤを送信する、ように構成される、通信システム。
【発明の詳細な説明】
【背景技術】
【０００１】
図１は、3GPP TS 38.401で説明されている通りの現行の第５世代（ＮＧ）無線アクセスネットワーク（ＲＡＮ）のアーキテクチャを示している。ＮＧのアーキテクチャを、さらに以下のように説明することができる。
・ＮＧ−ＲＡＮは、ＮＧを通じて５Ｇコアネットワーク（５ＧＣ）へ接続される第５世代基地局（ｇノードＢ又はｇＮＢ）のセットからなる。
・ｇＮＢは、周波数分割複信（ＦＤＤ）モード、時分割複信（ＴＤＤ）モード又はデュアルモードでの動作をサポートすることができる。
・ｇＮＢは、Ｘｎインタフェースを通じて相互に接続することができる。
・ｇＮＢは、ｇＮＢ中央ユニット（ｇＮＢ−ＣＵ）及びｇＮＢ分散ユニット（ｇＮＢ−ＤＵ）からなってもよい。
・ｇＮＢ−ＣＵとｇＮＢ−ＤＵは、Ｆ１論理インタフェースを介して接続される。
・１つのｇＮＢ−ＤＵは、１つのｇＮＢ−ＣＵのみと接続される。
【０００２】
ＮＦ、Ｘｎ及びＦ１は、論理インタフェースである。ＮＧ−ＲＡＮについて、ｇＮＢ−ＣＵ及びｇＮＢ−ＤＵからなるｇＮＢのためのＮＧ及びＸｎ−Ｃインタフェースは、ｇＮＢ−ＣＵ内で終端する。デュアルコネクティビティ（ＥＮ−ＤＣ）について、ｇＮＢ−ＣＵ及びｇＮＢ−ＤＵからなるｇＮＢのためのＳ１−Ｕ及びＸ２−Ｃインタフェースは、ｇＮＢ−ＣＵ内で終端する。ｇＮＢ−ＣＵ及び接続されるｇＮＢ−ＤＵは、他のｇＮＢ及び５ＧＣにとっては単にｇＮＢとして映る。
【０００３】
ＮＧ−ＲＡＮは、無線ネットワークレイヤ（ＲＮＬ）及びトランスポートネットワークレイヤ（ＴＮＬ）へレイヤ化される。複数のＮＧ−ＲＡＮ論理ノードとそれらの間のインタフェースとを含み得るＮＧ−ＲＡＮアーキテクチャは、ＲＮＬの一部として定義されている。各ＮＧ−ＲＡＮインタフェース（即ち、ＮＧ、Ｘｎ、Ｆ１）について、関連するＴＮＬプロトコル及び機能性が仕様化されている。ＴＮＬは、ユーザプレーンのトランスポート及びシグナリングのトランスポートのためのサービスを提供する。ＮＧ−Ｆｌｅｘ構成では、各ｇＮＢは、ＡＭＦ領域の範囲内の全てのアクセスモビリティ機能（ＡＭＦ）へ接続される。ＡＭＦ領域は、3GPP TS 23.501において定義されている。
【０００４】
Ｆ１インタフェースの仕様についての一般的な原理は以下の通りである：
・Ｆ１インタフェースは、オープンである；
・Ｆ１インタフェースは、エンドポイント間のシグナリング情報の交換をサポートし、加えて、当該インタフェースは、それぞれのエンドポイントへのデータ送信をサポートする；
・論理的な見地から言うと、Ｆ１は、エンドポイント間のポイントツーポイントのインタフェースである（ポインツーポイントの論理インタフェースは、エンドポイント間の物理的かつ直接的な接続がなくても実現可能なはずである）；
・Ｆ１インタフェースは、制御プレーン及びユーザプレーンの分離をサポートする；
・Ｆ１インタフェースは、無線ネットワークレイヤとトランスポートネットワークレイヤとを分離する；
・Ｆ１インタフェースは、ＵＥに関連付けられた情報及びＵＥに関連付けられない情報の交換を可能にする；
・Ｆ１インタフェースは、様々な新たな要件を充足し、並びに新たなサービス及び新たな機能をサポートするよう、将来的に保証されるものとして定義されている；
・１つのｇＮＢ−ＣＵ及び複数のｇＮＢ−ＤＵのセットは、他の論理ノードにとってはｇＮＢとして映る。ｇＮＢは、Ｘ２、Ｘｎ、ＮＧ及びＳ１−Ｕインタフェースを終端する；
・ｇＮＢ−ＣＵは、制御プレーン（ＣＰ）及びユーザプレーン（ＵＰ）に分離されてもよい。
【０００５】
３ＧＰＰ標準化団体は、ＣＵをＣＵ−ＣＰ（制御プレーン）エンティティ及びＣＵ−ＵＰ（ユーザプレーン）エンティティへ分離することについての検討を行った。その検討からの合意は、3GPP TR 38.806にまとめられている。図２は、3GPP TR 38.806において検討されていた通りにＣＵをＣＵ−ＣＰ及びＣＵ−ＵＰへ分離する一例としてのアーキテクチャを示している。
【０００６】
3GPP TR 38.806において検討されたアーキテクチャを、以下のようにさらに定義することができる：
・ｇＮＢは、ＣＵ−ＣＰ、複数のＣＵ−ＵＰ及び複数のＤＵからなってよい；
・ＣＵ−ＣＰは、Ｆ１−Ｃインタフェースを通じてＤＵへ接続される；
・ＣＵ−ＵＰは、Ｆ１−Ｕインタフェースを通じてＤＵへ接続される；
・ＣＵ−ＵＰは、Ｅ１インタフェースを通じてＣＵ−ＣＰへ接続される；
・１つのＤＵは、１つのＣＵ−ＣＰのみと接続される；
・１つのＣＵ−ＵＰは、１つのＣＵ−ＣＰのみと接続される；
・回復能力（resiliency）のために、ＤＵ及び／又はＣＵ−ＵＰは、適切な実装によって複数のＣＵ−ＣＰへ接続されてもよい；
・１つのＤＵを、同一のＣＵ−ＣＰの制御の下で、複数のＣＵ−ＵＰへ接続することができる；
・１つのＣＵ−ＵＰを、同一のＣＵ−ＣＰの制御の下で、複数のＤＵへ接続することができる；
・ＣＵ−ＵＰとＤＵとの間の接続性は、例えばベアラ又はＵＥコンテキスト管理機能を用いて、ＣＵ−ＣＰにより確立される；
・ＣＵ−ＣＰは、ＵＥ向けの要求されたサービスのために適切なＣＵ−ＵＰを選択する。
【０００７】
現在のところ、ある複数の課題が存在する。例えば、ＤＵとＣＵ−ＵＰとの間のＦ１−Ｕインタフェースは、3GPP TS 29.060において定義されているＧＴＰプロトコルに基づく。Ｆ１−Ｕ上の各接続は、ＣＵ−ＵＰをＤＵを介してＵＥへ接続するデータ無線ベアラ（ＤＲＢ）へマッピングされる（ＤＵはＤＲＢのための無線リソースを提供する）。Ｆ１−Ｕインタフェース上のＣＵ−ＵＰとＤＵとの間の接続を確立するために、ＤＵ及びＣＵ−ＵＰは、ＧＴＰトンネルエンドポイント識別子（ＴＥＩＤ）を交換することを必要とする。これは、ＤＵ及びＣＵ−ＵＰが特定の接続（ＤＲＢ）を明瞭に識別することを可能にする。ＤＵとＣＵ−ＵＰとの間でＴＥＩＤを交換するための仕組みについての合意は、３ＧＰＰにおいて未だなされていない。
【０００８】
現在のところ、３ＧＰＰは、ＣＵ−ＵＰが１つのみのＣＵ−ＣＰへ接続されるケースしか考慮していない。しかしながら、３ＧＰＰにおいて確認されているように、ＣＵ−ＵＰを複数のＣＵ−ＣＰへ接続するような実装が可能である。この理由のために、ＣＵ−ＵＰは、ＴＥＩＤの割当てを管理することを必要とする。但し、ＣＵ−ＵＰが１つのみのＣＵ−ＣＰへ接続されるケースのためにＣＵ−ＣＰがＴＥＩＤ割当てを単独で制御する可能性も依然としてあるであろう。
【発明の概要】
【０００９】
本開示のある観点及びそれらの実施形態は、これらの又は他の課題に対する解決策を提供し得る。具体的には、Ｆ１−Ｕインタフェース上の接続及び対応するデータ無線ベアラ（ＤＲＢ）を確立するために、分散ユニット（ＤＵ）と中央ユニットユーザプレーン（ＣＵ−ＵＰ）との間でトンネルエンドポイント識別子（ＴＥＩＤ）を交換するための方法及びシステムが提供される。
【００１０】
ある実施形態によれば、ネットワークノードのＣＵ−ＣＰによりＴＥＩＤを割当てるための方法は、ＣＵ−ＵＰから、ＤＲＢに関連付けれられる少なくとも１つのアップリンクＴＥＩＤ（ＵＬ  ＴＥＩＤ）を受信すること、を含む。上記少なくとも１つのＵＬ  ＴＥＩＤは、分散ユニット（ＤＵ）へ送信される。上記ＤＲＢに関連付けれられる少なくとも１つのダウンリンクＴＥＩＤ（ＤＬ  ＴＥＩＤ）が上記ＤＵから受信される。そして、上記ＤＲＢに関連付けられる上記少なくとも１つのＤＬ  ＴＥＩＤが、上記ＣＵ−ＵＰへ送信される。
【００１１】
ある実施形態によれば、ＴＥＩＤを割当てるためのネットワークノードのＣＵ−ＣＰは、命令群を記憶するように動作可能なメモリと、処理回路とを含む。上記処理回路は、上記命令群を実行して、上記ネットワークノードに、ＣＵ−ＵＰから、ＤＲＢに関連付けれられる少なくとも１つのＵＬ  ＴＥＩＤを受信すること、を行わせるように動作可能である。上記少なくとも１つのＵＬ  ＴＥＩＤは、分散ユニット（ＤＵ）へ送信される。上記ＤＲＢに関連付けれられる少なくとも１つのダウンリンクＴＥＩＤ（ＤＬ  ＴＥＩＤ）が上記ＤＵから受信される。そして、上記ＤＲＢに関連付けられる上記少なくとも１つのＤＬ  ＴＥＩＤが、上記ＣＵ−ＵＰへ送信される。
【００１２】
ある実施形態によれば、ＴＥＩＤを割当てるためのネットワークノードによる方法は、上記ネットワークノードのＣＵ−ＣＰにより、上記ネットワークノードのＣＵ−ＵＰへベアラセットアップ要求を送信すること、を含む。ベアラセットアップ応答が、上記ＣＵ−ＵＰから受信される。上記ベアラセットアップ応答は、ベアラごとの少なくとも１つのＵＬ  ＴＥＩＤを含む。コンテキストセットアップ要求が、ＤＵへ送信される。上記コンテキストセットアップ要求は、ベアラごとの上記少なくとも１つのＵＬ  ＴＥＩＤを含む。上記ＤＵから、ベアラごとの少なくとも１つのＤＬ  ＴＥＩＤを含むコンテキストセットアップ応答が受信される。上記ＤＵから受信された通りの、ベアラごとの上記少なくとも１つの１つのＤＬ  ＴＥＩＤを含むベアラ修正要求が、上記ＣＵ−ＵＰへ送信される。ベアラ修正応答が、上記ＣＵ−ＵＰから受信される。
【００１３】
ある実施形態によれば、トンネルエンドポイント識別子を割当てるためのネットワークノードは、命令群を記憶するように動作可能なメモリと、処理回路とを含む。上記処理回路は、上記命令群を実行して、上記ネットワークノードに、上記ネットワークノードのＣＵ−ＣＰにより、上記ネットワークノードのＣＵ−ＵＰへベアラセットアップ要求を送信すること、を行わせるように動作可能である。ベアラセットアップ応答が、上記ＣＵ−ＵＰから受信される。上記ベアラセットアップ応答は、ベアラごとの少なくとも１つのＵＬ  ＴＥＩＤを含む。コンテキストセットアップ要求が、ＤＵへ送信される。上記コンテキストセットアップ要求は、ベアラごとの上記少なくとも１つのＵＬ  ＴＥＩＤを含む。上記ＤＵから、ベアラごとの少なくとも１つのＤＬ  ＴＥＩＤを含むコンテキストセットアップ応答が受信される。上記ＤＵから受信された通りの、ベアラごとの上記少なくとも１つの１つのＤＬ  ＴＥＩＤを含むベアラ修正要求が、上記ＣＵ−ＵＰへ送信される。ベアラ修正応答が、上記ＣＵ−ＵＰから受信される。
【００１４】
ある実施形態によれば、ネットワークノードのＣＵ−ＵＰによりＴＥＩＤを割当てるための方法は、ＣＵ−ＵＰへ、ＤＵへの転送のために、ＤＲＢに関連付けれられる少なくとも１つのＵＬ  ＴＥＩＤを送信すること、を含む。上記ＣＵ−ＣＰから、少なくとも１つのＤＬ  ＴＥＩＤが受信される。上記少なくとも１つのＤＬ  ＴＥＩＤは、上記ＤＵにより上記ＤＲＢに関連付けられたものと判定され、上記ＣＵ−ＣＰにより上記ＣＵ−ＵＰへ転送される。
【００１５】
ある実施形態によれば、ＴＥＩＤを割当てるためのネットワークノードのＣＵ−ＵＰが提供される。上記ネットワークノードの上記ＣＵ−ＵＰは、命令群を記憶するように動作可能なメモリと、処理回路とを含む。上記処理回路は、上記命令群を実行して、上記ネットワークノードの上記ＣＵ−ＵＰに、ＣＵ−ＣＰへ、ＤＵへの転送のために、ＤＲＢに関連付けれられる少なくとも１つのＵＬ  ＴＥＩＤを送信すること、を行わせるように動作可能である。上記ＣＵ−ＣＰから、少なくとも１つのＤＬ  ＴＥＩＤが受信される。上記少なくとも１つのＤＬ  ＴＥＩＤは、上記ＤＵにより上記ＤＲＢに関連付けられたものと判定され、上記ＣＵ−ＣＰにより上記ＣＵ−ＵＰへ転送される。
【００１６】
ある実施形態によれば、ネットワークノードのＤＵによりＴＥＩＤを割当てるための方法は、ＣＵ−ＣＰから、ＤＲＢに関連付けれられる少なくとも１つのＵＬ  ＴＥＩＤを受信すること、を含む。上記少なくとも１つのＵＬ  ＴＥＩＤは、上記ＣＵ−ＵＰにより判定され、上記ＣＵ−ＣＰにより上記ＤＵへ転送される。上記ＤＲＢに関連付けられる少なくとも１つのＤＬ  ＴＥＩＤが、上記ＣＵ−ＵＰへの転送のために、上記ＣＵ−ＣＰへ送信される。
【００１７】
ある実施形態によれば、ＴＥＩＤを割当てるためのネットワークノードのＤＵが提供される。上記ネットワークノードの上記ＤＵは、命令群を記憶するように動作可能なメモリと、処理回路とを含む。上記処理回路は、上記命令群を実行して、上記ネットワークノードの上記ＤＵに、ＣＵ−ＣＰから、ＤＲＢに関連付けれられる少なくとも１つのＵＬ  ＴＥＩＤを受信すること、を行わせるように動作可能である。上記少なくとも１つのＵＬ  ＴＥＩＤは、上記ＣＵ−ＵＰにより判定され、上記ＣＵ−ＣＰにより上記ＤＵへ転送される。上記ＤＲＢに関連付けられる上記少なくとも１つのＤＬ  ＴＥＩＤが、上記ＣＵ−ＵＰへの転送のために、上記ＣＵ−ＣＰへ送信される。
【００１８】
ある実施形態によれば、通信システムは、ユーザ機器（ＵＥ）から基地局への送信信号に由来するユーザデータを受け付けるように構成される通信インタフェースを備えるホストコンピュータを含む。上記基地局は、無線インタフェースと処理回路とを備える。上記基地局の処理回路は、ＣＵ−ＵＰから、ＤＲＢに関連付けれられる少なくとも１つのＵＬ  ＴＥＩＤを受信する、ように構成される。上記少なくとも１つのＵＬ  ＴＥＩＤは、ＤＵへ送信される。上記ＤＲＢに関連付けれられる少なくとも１つのＤＬ  ＴＥＩＤが上記ＤＵから受信される。上記少なくとも１つのＤＬ  ＴＥＩＤは、上記ＣＵ−ＵＰへ送信される。
【００１９】
ある実施形態は、次の技術的利点のうちの１つ以上を提供し得る。一例として、ある実施形態は、Ｆ１−Ｕインタフェース上の接続の生成、したがって対応するＤＲＢの生成のために、ＤＵ及びＣＵ−ＵＰがＴＥＩＤを交換することを可能にすることにより、複数のＣＵ−ＣＰへ接続できるＣＵ−ＵＰの実装を可能にし得る。他の例として、ある実施形態により同一のＣＵ−ＵＰにおいて使用されるＵＬ  ＴＥＩＤが常に一意であることが保証されることが利点であり得る。
【００２０】
ある実施形態は、これら利点のうちの全て若しくはいくつかを有してもよく、又はいずれも有しなくてもよい。ある実施形態は、当業者により理解されるであろう他の利点を含んでもよい。
【図面の簡単な説明】
【００２１】
開示される実施形態並びにそれらの特徴及び利点のより充分な理解のために、これより、次の添付図面と併せて以下の説明への参照がなされる：
【図１】3GPP TS 38.401で説明されている通りの現行の第５世代（ＮＧ）無線アクセスネットワーク（ＲＡＮ）のアーキテクチャを示している。
【図２】3GPP TR 38.806において検討されている通りにＣＵをＣＵ−ＣＰ及びＣＵ−ＵＰへ分離する一例としてのアーキテクチャを示している。
【図３】ある実施形態に係るＣＵ−ＵＰによる、トンネルエンドポイント識別子（ＴＥＩＤ）及び／又はアップリンクＴＥＩＤ（ＵＬ  ＴＥＩＤ）の順次の割当てを描いたシグナリング図を示している。
【図４】ある実施形態に係るＣＵ−ＵＰによる、ＴＥＩＤ及び／又はＵＬ  ＴＥＩＤの並列的な割当てを描いたシグナリング図を示している。
【図５】ある実施形態に係るＣＵ−ＣＰによる、ＴＥＩＤ及び／又はＵＬ  ＴＥＩＤの半静的な割当てを描いたシグナリング図を示している。
【図６】ある実施形態に係るネットワークノードのＣＵ−ＣＰによりＴＥＩＤを割当てるための一例としての方法を示している。
【図７】ある実施形態に係るネットワークノードのＣＵ−ＣＰによりＴＥＩＤを割当てるための他の例としての方法を示している。
【図８】ある実施形態に係るネットワークノードのＣＵ−ＵＰによりＴＥＩＤを割当てるための一例としての方法を示している。
【図９】ある実施形態に係るネットワークノードのＤＵによりＴＥＩＤを割当てるための一例としての方法を示している。
【図１０】ある実施形態に係るＴＥＩＤを割当てるための一例としてのワイヤレスネットワークを示している。
【図１１】ある実施形態に係るＴＥＩＤを割当てるためのネットワークノードの一例としての実施形態を示している。
【図１２】ある実施形態に係るＴＥＩＤを割当てるためのネットワークノードによる他の例示的な方法を示している。
【図１３】ある実施形態に係るＴＥＩＤを割当てるための他の例としての仮想的なコンピューティングデバイスを示している。
【図１４】ある実施形態に係るワイヤレスデバイスの一例としての実施形態を示している。
【図１５】ある実施形態に係る例示的な無線ネットワークコントローラ又はコアネットワークノードを示している。
【図１６】ある実施形態に係るホストコンピュータへ中間ネットワークを介して接続される電気通信ネットワークを概略的に示している。
【図１７】ある実施形態に係る部分的にワイヤレスな接続上で基地局を介してユーザ機器と通信するホストコンピュータの概略ブロック図である。
【図１８】ある実施形態に係るホストコンピュータ、基地局及びユーザ機器を含む通信システムにおいて実装される方法を示している。
【図１９】ある実施形態に係るホストコンピュータ、基地局及びユーザ機器を含む通信システムにおいて実装される他の方法を示している。
【図２０】ある実施形態に係るホストコンピュータ、基地局及びユーザ機器を含む通信システムにおいて実装される他の方法を示している。
【図２１】ある実施形態に係るホストコンピュータ、基地局及びユーザ機器を含む通信システムにおいて実装される他の方法を示している。
【発明を実施するための形態】
【００２２】
具体的な実施形態が、図面のうちの図３〜図１７において説明されており、多様な図面の同類の及び対応する部分に同類の番号が使用されている。
【００２３】
ある実施形態は、トンネルエンドポイント識別子（ＴＥＩＤ）を割当てるための機能性を含み得る。ある実施形態によれば、例えば、Ｆ１−Ｕインタフェース上の接続（及び、したがって対応するデータ無線ベアラ（ＤＲＢ））を確立するために、分散ユニット（ＤＵ）と中央ユニットユーザプレーン（ＣＵ−ＵＰ）との間でＴＥＩＤ／アップリンクＴＥＩＤ（ＵＬ  ＴＥＩＤ）を交換するための仕組みが提供される。
【００２４】
ある実施形態によれば、実現可能であって様々な利点及び欠点を取り入れる以下の仕組みが次の通り説明される：
【００２５】
＜仕組み１ａ：ＣＵ−ＵＰがＵＬ  ＴＥＩＤを順に割当てる＞
このアプローチは、２つの派生を有する：
【００２６】
１．ＴＥＩＤが順に交換される（まずＵＬ  ＴＥＩＤの割当て）（１）ＣＵ−ＣＰは、Ｅ１インタフェース及び例えばＥ１ＡＰのベアラセットアップ手続を用いて、ＣＵ−ＵＰからＵＬ  ＴＥＩＤ（ＤＵにてセットアップされる必要のあるＤＲＢごとに１つのＵＬ  ＴＥＩＤ）を取得する。ＣＵ−ＣＰとＣＵ−ＵＰとの間のベアラセットアップ手続は、ＤＲＢごとに１つ以上の一時的なＤＬ  ＴＥＩＤをＣＵ−ＵＰへ送信し得る。したがって、ＣＵ−ＵＰは、Ｆ１−ＵベアラをＤＵと確立することができるようになるが、ＵＬ  ＴＥＩＤのみが確定するためにＵＬトラフィックを受信できるだけとなる。これは、少なくとも、ＤＵがＵＬ  ＴＥＩＤを受信するとすぐにＵＥによりＵＬトラフィックが可能となることを確実化する。（２）ＣＵ−ＣＰは、Ｆ１−Ｃインタフェース及び例えばＦ１ＡＰのＵＥコンテキストセットアップ手続を用いて、ＤＲＢごとに１つのＵＬ  ＴＥＩＤをＤＵへ送信し、ＤＵからＤＲＢごとに１つのＤＬ  ＴＥＩＤを取得する。（３）最後に、ＣＵ−ＣＰは、Ｅ１インタフェース及び例えばＥ１ＡＰのベアラ修正手続を用いて、ＣＵ−ＵＰへＤＲＢごとに１つのＤＬ  ＴＥＩＤを送信する。この時点以降より、ＣＵ−ＵＰは、ＤＵへＤＬトラフィックを送信することもできる。
【００２７】
２．ＴＥＩＤが順に交換される（まずＤＬ  ＴＥＩＤの割当て）（１）ＣＵ−ＣＰは、Ｆ１−Ｃインタフェース及び例えばＦ１ＡＰのＵＥコンテキストセットアップ手続を用いて、ＤＲＢごとに１つの既定のＵＬ  ＴＥＩＤ（即ち、最終的なＴＥＩＤと置換されることになる一時的なＴＥＩＤ）をＤＵへ送信し、ＤＵからＤＲＢごとに１つのＤＬ  ＴＥＩＤを取得する。（２）ＣＵ−ＣＰは、Ｅ１インタフェース及び例えばＥ１ＡＰのベアラセットアップ手続を用いて、ＤＵにより割り当てられたＤＲＢごとのＤＬ  ＴＥＩＤをＣＵ−ＵＰへ送信し、ＣＵ−ＵＰからＵＬ  ＴＥＩＤ（ＤＵにてセットアップされる必要のあるＤＲＢごとに１つのＵＬ  ＴＥＩＤ）を取得する。したがって、ＤＵは、Ｆ１−ＵベアラをＣＵ−ＵＰと確立することができるようになるが、ＤＬ  ＴＥＩＤのみが確定するためにＤＬトラフィックを送信できるだけとなる。これは、少なくとも、ＣＵ−ＵＰがＤＬ  ＴＥＩＤを受信するとすぐにＵＥがＤＬトラフィックを受信できることを確実化する。（２）最後に、ＣＵ−ＣＰは、Ｆ１−Ｃインタフェース及び例えばＦ１ＡＰのＵＥコンテキストセットアップ手続を用いて、ＤＵへＤＲＢごとに１つのＵＬ  ＴＥＩＤを送信する。（３）
【００２８】
＜仕組み１ｂ：ＣＵ−ＵＰがＵＬ  ＴＥＩＤを並列的に割当てる＞
（１ａ）ＣＵ−ＣＰは、Ｅ１インタフェース及び例えばＥ１ＡＰのベアラセットアップ手続を用いて、ＣＵ−ＵＰからＵＬ  ＴＥＩＤ（ＤＵにてセットアップされる必要のあるＤＲＢごとに１つのＵＬ  ＴＥＩＤ）を取得する。（１ｂ）同時に、ＣＵ−ＣＰは、Ｆ１−Ｃインタフェース及び例えばＦ１ＡＰのＵＥコンテキストセットアップ手続を用いて、ＤＵから確立すべきＤＲＢごとに１つのＤＬ  ＴＥＩＤを取得する。留意する必要のあることとして、ＣＵからＤＵへのＦ１ＡＰコンテキストセットアップ要求の中に、確立すべきＤＲＢごとに１つのＵＬ  ＴＥＩＤが存在していることが必須である。必須のＴＥＩＤフィールドには、ＤＵにより適用可能でないものとして解釈される既定の値が記入されていてもよい。（２ａ）１ａの完了後に、ＣＵ−ＣＰは、Ｆ１−Ｃインタフェース上で例えばＦ１ＡＰのＵＥコンテキスト修正手続を用いて、ＤＵへＤＲＢごとに１つのＵＬ  ＴＥＩＤを送信する。これらＵＬ  ＴＥＩＤは、ＵＥコンテキストセットアップ要求を介して受信された既定の値を置き換えることになるであろう。このステップの後に、ＤＵは、ＣＵ−ＵＰへのＵＬトラフィックの送信を開始できる。（２ｂ）１ｂの完了後に、ＣＵ−ＣＰは、Ｅ１インタフェース上で例えばＥ１ＡＰのベアラ修正手続を用いて、ＣＵ−ＵＰへＤＬ  ＴＥＩＤを送信する。このステップの後に、ＣＵ−ＵＰは、ＤＵへのＤＬトラフィックの送信を開始できる。
【００２９】
＜仕組み２ａ：ＣＵ−ＣＰがＵＬ  ＴＥＩＤを半静的に割当てる＞
Ｅ１セットアップの期間中に、ＣＵ−ＵＰは、ＣＵ−ＣＰへ、当該ＣＵ−ＣＰのために一義的に予約されているＵＬ  ＴＥＩＤの範囲を送信し、即ち、それらＴＥＩＤを、ＣＵ−ＣＰが自信の接続済みのＤＵと確立することを意図する全てのＤＲＢのために使用することができる。Ｆ１−Ｕ接続をセットアップするために、次のステップが実行される。（１）ＣＵ−ＣＰは、Ｆ１−Ｃインタフェース上で例えばＦ１ＡＰのＵＥコンテキストセットアップ手続を用いて、ＤＲＢごとに１つのＵＬ  ＴＥＩＤを受信したＵＥ  ＴＥＩＤの範囲から選択してＤＵへ送信し、ＤＵからＤＲＢごとに１つのＤＬ  ＴＥＩＤを取得する。（１ａ）オプションとして、ＣＵ−ＣＰは、並列的に、（１）固有のＵＬ  ＴＥＩＤを伴う１つ以上のベアラがＤＵにて各々確立されようとしているというインジケーションをＣＵ−ＵＰへ送信し得る。このステップの後、ＤＵは、ＣＵ−ＣＰへＤＬ  ＴＥＩＤを送信したすぐ後にＣＵ−ＵＰへのＵＬトラフィックの送信を開始できる。（２）ＣＵ−ＣＰは、Ｅ１インタフェース上で例えばベアラセットアップ手続を用いて、ＣＵ−ＵＰへＤＲＢごとに１つのＵＬ  ＴＥＩＤ及びＤＬ  ＴＥＩＤを送信する。
【００３０】
ＣＵ−ＣＰにおいてＵＬ  ＴＥＩＤの欠乏が近い場合、即ち、割当て済みの範囲のＵＬ  ＴＥＩＤがほとんど全て使用されている場合：（１）Ｅ１インタフェースを介して例えばＣＵ−ＣＰの構成更新手続を用いて、ＣＵ−ＵＰへより多くのＴＥＩＤを要求することができる。（２）ＣＵ−ＵＰは、ＣＵ−ＣＰにおいてＵＬ  ＴＥＩＤが欠乏しつつあることを理解し、Ｅ１インタフェース上で例えばＣＵ−ＵＰの構成更新手続を用いて、自律的にＣＵ−ＵＰへそれを送信する。（３）ＣＵ−ＣＰは、その範囲外のＵＬ  ＴＥＩＤを、競合を生じさせないことを望みつつ（即ち、そのＵＬ  ＴＥＩＤが他のＣＵ−ＣＰにより既に使用中でないことを望みつつ）割当てることができる。割当てられるＴＥＩＤが既に使用中である場合、ＣＵ−ＵＰは、異なるＴＥＩＤを（恐らくは、ＣＵ−ＣＰが使用を許可される拡張されたＴＥＩＤの範囲と共に）伴って応答を行うことになる。
【００３１】
＜仕組み２ｂ：ＣＵ−ＣＰは、トレイルアンドフェイル（trail and fail）アプローチでＵＬ  ＴＥＩＤを割当てる＞
このアプローチでは、ＣＵ−ＣＰは、アプローチ２ａと同様にＵＬ  ＴＥＩＤを割当てるが、どのような範囲をも事前には与えられない。ＣＵ−ＣＰが他のＣＵ−ＣＰにより既に使用中のＵＬ  ＴＥＩＤを割当てるとすると、それは競合を引き起こすであろう。ＣＵ−ＵＰが新たなＵＬ  ＴＥＩＤを割り当ててそれをＣＵ−ＣＰへシグナリングすることにより競合を解消することになる。ＣＵ−ＣＰは、Ｆ１−Ｃインタフェース上で例えばＦ１ＡＰのＵＥコンテキスト修正手続を用いて、ＤＵへ新たなＵＬ  ＴＥＩＤを送信する。
【００３２】
図３〜図９は、上述した仕組み１ａ〜２ａ及び１ｂ〜２ｂをより詳細に描いている。ここで説明される多様なアプローチの中でも、性能の観点で最も有力なアプローチは、ＴＥＩＤが並列に交換されるＣＵ−ＵＰ割当て、及び、半静的なＴＥＩＤのＣＵ−ＣＰ割当てである。但し、他のアプローチもまた可能性を有する。
【００３３】
具体的には、図３は、ある実施形態に係るＣＵ−ＵＰによる、ＴＥＩＤの順次の割当てを描いたシグナリング図３００を示している。
【００３４】
０ａ〜０ｂにおいて、ＣＵ−ＣＰ３０４とＣＵ−ＵＰ３０６との間のＥ１インタフェースが確立される。図示したように、０ａにおいて、Ｅ１セットアップ要求がＣＵ−ＣＰ３０４からＣＵ−ＵＰ３０６へ送信される。０ｂにおいて、ＣＵ−ＵＰ３０６は、Ｅ１セットアップ応答で応答する。
【００３５】
１ａにおいて、ＣＵ−ＣＰ３０４は、Ｅ１ＡＰベアラセットアップ要求をＣＵ−ＵＰ３０６へ送信する。成功した場合、ＣＵ−ＵＰ３０６は、１ｂにおいて、ベアラ／ＤＲＢごとに選択したＵＬ  ＴＥＩＤを含むＥ１ＡＰベアラセットアップ応答を返信する。
【００３６】
２ａにおいて、ＣＵ−ＣＰ３０４は、ＤＲＢごとに１つのＵＬ  ＴＥＩＤを含むＦ１ＡＰ  ＵＥコンテキストセットアップ要求をＤＵ３０２へ送信する。成功した場合、ＤＵ３０２は、２ｂにおいて、ＤＲＢごとに選択したＤＬ  ＴＥＩＤを含むＦ１ＡＰ  ＵＥコンテキストセットアップ応答を返信する。
【００３７】
３ａにおいて、ＣＵ−ＣＰ３０４は、ＤＵ３０２により通信された通りのＤＲＢごとに１つのＤＬ  ＴＥＩＤを含むＥ１ＡＰ  ＵＥベアラ修正要求をＣＵ−ＵＰ３０６へ送信する。ＣＵ−ＵＰ３０６は、３ｂにおいて、ベアラ修正応答を返信する。Ｆ１上でＤＲＢが確立される。
【００３８】
上の例のシグナリングは、複数のベアラを同時に確立するためにも使用されてよい。よって、上記メッセージは、複数のＵＬ／ＤＬ  ＴＥＩＤを含むことができる。これは、ここで説明される全ての仕組み及び方法に当てはまる。
【００３９】
図４は、ある実施形態に係るＣＵ−ＵＰによる、ＴＥＩＤ及び／又はＵＬ  ＴＥＩＤの並列的な割当てを描いたシグナリング図４００を示している。
【００４０】
０ａ〜０ｂにおいて、ＣＵ−ＣＰとＣＵ−ＵＰとの間のＥ１インタフェースが確立される。図示したように、例えば、０ａにおいて、Ｅ１セットアップ要求がＣＵ−ＣＰ４０４からＣＵ−ＵＰ４０６へ送信される。０ｂにおいて、ＣＵ−ＵＰ４０６は、Ｅ１セットアップ応答で応答する。
【００４１】
１ａにおいて、ＣＵ−ＣＰ４０４は、Ｅ１ＡＰベアラセットアップ要求をＣＵ−ＵＰ４０６へ送信する。成功した場合、ＣＵ−ＵＰ４０６は、１ｂにおいて、ＤＲＢごとに選択したＵＬ  ＴＥＩＤを含むＥ１ＡＰベアラセットアップ応答を返信する。１ｃにおいて、ＣＵ−ＣＰ４０４は、Ｆ１ＡＰ  ＵＥコンテキストセットアップ要求をＤＵ４０２へ送信する。成功した場合、ＤＵ４０２は、１ｄにおいて、ＤＲＢごとに選択したＤＬ  ＴＥＩＤを含むＦ１ＡＰ  ＵＥコンテキストセットアップ応答を返信する。
【００４２】
２ａにおいて、ＣＵ−ＣＰ４０４は、ＤＲＢごとのＤＬ  ＴＥＩＤを含むＥ１ＡＰベアラ修正要求をＣＵ−ＵＰ４０６へ送信する。ＣＵ−ＵＰ４０６は、２ｂにおいて、ベアラ修正応答を返信する。２ｃにおいて、ＣＵ−ＣＰ４０４は、ＤＲＢごとのＵＬ  ＴＥＩＤを含むＦ１ＡＰ  ＵＥコンテキスト修正要求をＤＵ４０２へ送信する。ＤＵ４０２は、２ｄにおいて、Ｆ１ＡＰ  ＵＥコンテキスト修正応答を返信する。Ｆ１上でＤＲＢが確立される。
【００４３】
具体的な実施形態によれば、一変形例は、ＣＵ−ＣＰ４０４がＤＵ４０２へＵＥ向けのＲＲＣ再構成メッセージをも含むＤＬ  ＲＲＣメッセージトランスファを用いて、ＵＬ  ＴＥＩＤを送信すること、を含んでもよい。これは、ＤＵ４０２とＣＵ−ＣＰ４０４との間の１回の往復を節約することを可能にする。
【００４４】
他の具体的な実施形態によれば、一変形例は、ＣＵ−ＣＰ４０４がＤＵ４０２へニューコール（new call）１又はクラス２手続を用いてＵＬ  ＴＥＩＤを送信すること、を含んでもよい。追加的に又は代替的に、ＣＵ−ＣＰ４０４は、ＣＵ−ＵＰ４０６へニューコール１又はクラス２手続を用いてＤＬ  ＴＥＩＤを送信してもよい。
【００４５】
図５は、ある実施形態に係るＣＵ−ＣＰによる、ＴＥＩＤ及び／又はＵＬ  ＴＥＩＤの半静的な割当てを描いたシグナリング図５００を示している。
【００４６】
０ａ〜０ｂにおいて、ＣＵ−ＣＰとＣＵ−ＵＰとの間のＥ１インタフェースが確立される。図示したように、例えば、０ａにおいて、Ｅ１セットアップ要求がＣＵ−ＣＰ５０４からＣＵ−ＵＰ５０６へ送信される。０ｂにおいて、ＣＵ−ＵＰ５０６は、Ｅ１セットアップ応答で応答する。Ｅ１セットアップ応答において、ＣＵ−ＵＰ５０６は、そのＣＵ−ＣＰ５０４により確立されるベアラのために排他的に予約されるＵＬ  ＴＥＩＤの範囲を送信する。
【００４７】
１ａ〜１ｂにおいて、ＣＵ−ＣＰ５０４は、ＤＲＢごとに１つのＵＬ  ＴＥＩＤを割当てる。１ａにおいて、ＣＵ−ＣＰ５０４は、ＤＲＢごとのＵＬ  ＴＥＩＤを含むＦ１ＡＰ  ＵＥコンテキストセットアップ要求をＤＵ５０２へ送信する。成功した場合、ＤＵ５０２は、１ｂにおいて、ＤＲＢごとに選択したＤＬ  ＴＥＩＤを含むＦ１ＡＰ  ＵＥコンテキストセットアップ応答を返信する。
【００４８】
２ａにおいて、ＣＵ−ＣＰ５０４は、確立した各ＤＲＢについてのＤＬ及びＵＬのＴＥＩＤを含むＥ１ＡＰベアラセットアップ要求をＣＵ−ＵＰ５０６へ送信する。ＣＵ−ＵＰ５０６は、２ｂにおいて、ベアラ修正応答を返信する。Ｆ１上でＤＲＢが確立される。
【００４９】
その後、ＴＥＩＤの範囲は、Ｅ１インタフェース上の構成更新を用いて更新されてもよい。
【００５０】
ＴＥＩＤの範囲は、ｅ１上の構成更新を用いて更新されることができる。
【００５１】
上述したように、ＣＵ−ＵＰは、ある別の実施形態によれば、試行錯誤アプローチを用いてＵＬ  ＴＥＩＤを割当ててもよい。このアプローチはＵＥで仕組み２ｂとして説明されており、仕組み２ａとして言及したアプローチと同様であるが、ＵＬ  ＴＥＩＤの事前予約を伴わない。具体的には、ある実施形態によれば、ＣＵ−ＣＰは、他のＣＵ−ＣＰにより既に使用中のＴＥＩＤを選択する可能性がある。ＣＵ−ＵＰは、新たなＵＬ  ＴＥＩＤを割り当ててそれをＥ１インタフェース上でＣＵ−ＣＰへ送信することにより、競合を解消してもよい。そして、ＣＵ−ＣＰは、例えば、ＵＥコンテキスト修正手続を用いて、又はＵＥ向けのＲＲＣ構成メッセージをも含むＤＬ  ＲＲＣメッセージトランスファを用いて、新たなＵＬ  ＴＥＩＤをＤＵへ送信し得る。
【００５２】
図６は、ある実施形態に係るネットワークノードのＣＵ−ＣＰによりＴＥＩＤを割当てるための一例としての方法４００を示している。その方法は、ステップ４１０で開始し、ＣＵ−ＣＰは、ＣＵ−ＵＰからＤＲＢに関連付けられる少なくとも１つのＵＬ  ＴＥＩＤを受信する。
【００５３】
ステップ４２０で、ＣＵ−ＣＰは、ＤＲＢに関連付けられる少なくとも１つのＵＬ  ＴＥＩＤをＤＵへ送信する。
【００５４】
ステップ４３０で、ＣＵ−ＣＰは、ＤＵからＤＲＢに関連付けられる少なくとも１つのＤＬ  ＴＥＩＤを受信する。
【００５５】
ステップ４４０で、ＣＵ−ＣＰは、ＤＲＢに関連付けられる少なくとも１つのＤＬ  ＴＥＩＤをＣＵ−ＵＰへ送信する。
【００５６】
具体的な実施形態において、上記少なくとも１つのＵＬ  ＴＥＩＤ及び上記少なくとも１つのＤＬ  ＴＥＩＤは、順に交換され、上記少なくとも１つのＤＬ  ＴＥＩＤがＤＵから受信されＣＵ−ＵＰへ送信される前に、上記少なくとも１つのＵＬ  ＴＥＩＤがＣＵ−ＵＰから受信されＤＵへ送信される。さらなる具体的な実施形態において、ＣＵ−ＣＰは、ベアラセットアップ要求をＣＵ−ＵＰへ送信してもよく、ＤＲＢに関連付けられる上記少なくとも１つのＵＬ  ＴＥＩＤは、ベアラセットアップ応答においてＣＵ−ＵＰから受信されてもよい。
【００５７】
他の具体的な実施形態において、ＤＲＢに関連付けられる上記少なくとも１つのＵＬ  ＴＥＩＤは、コンテキストセットアップ要求においてＤＵへ送信されてもよく、ＤＲＢに関連付けられる上記少なくとも１つのＤＬ  ＴＥＩＤは、コンテキストセットアップ応答においてＤＵから受信されてもよい。
【００５８】
具体的な実施形態において、ＤＵから受信されるものとしてのＤＲＢに関連付けられる上記少なくとも１つのＤＬ  ＴＥＩＤは、ベアラ修正要求としてＣＵ−ＵＰへ送信されてもよい。追加的に、ＣＵ−ＣＰは、ＣＵ−ＵＰからベアラ修正応答を受信してもよい。
【００５９】
他の具体的な実施形態において、上記少なくとも１つのＵＬ  ＴＥＩＤ及び上記少なくとも１つのＤＬ  ＴＥＩＤは、上記少なくとも１つのＵＬ  ＴＥＩＤがＣＵ−ＵＰから受信されＤＵへ送信される前に、ＤＵから受信されＣＵ−ＵＰへ送信されてもよい。さらなる具体的な実施形態において、ＣＵ−ＵＰからＤＲＢに関連付けられる上記少なくとも１つのＵＬ  ＴＥＩＤを受信することに先立って、ＣＵ−ＵＰは、コンテキストセットアップ要求においてＤＲＢに関連付けられる一時的なＵＬ  ＴＥＩＤをＤＵへ送信してもよい。そして、ＤＲＢに関連付けられる上記少なくとも１つのＤＬ  ＴＥＩＤがコンテキストセットアップ応答としてＤＵから受信されてもよい。ＤＲＢに関連付けられる上記少なくとも１つのＤＬ  ＴＥＩＤは、コンテキストセットアップ要求においてＣＵ−ＵＰへ送信されてもよく、ＤＲＢに関連付けられる上記少なくとも１つのＵＬ  ＴＥＩＤは、コンテキストセットアップ応答においてＣＵ−ＵＰから受信されてもよい。
【００６０】
他の具体的な実施形態において、ＤＲＢに関連付けられる上記少なくとも１つのＵＬ  ＴＥＩＤ及びＤＲＢに関連付けられる上記少なくとも１つのＤＬ  ＴＥＩＤは、並列で交換されてもよい。例えば、ＣＵ−ＣＰは、ＣＵ−ＵＰへベアラセットアップ要求を送信してもよい。また、ＣＵ−ＣＰは、ＤＵへＵＥコンテキストセットアップ要求を送信してもよい。そして、ＤＲＢに関連付けられる上記少なくとも１つのＵＬ  ＴＥＩＤが、ベアラセットアップ応答においてＣＵ−ＵＰから受信されてもよく、ＤＲＢに関連付けられる上記少なくとも１つのＤＬ  ＴＥＩＤが、コンテキストセットアップ応答においてＤＵから受信されてもよい。ＤＲＢに関連付けられる上記少なくとも１つのＤＬ  ＴＥＩＤは、ベアラ修正要求においてＣＵ−ＵＰへ送信されてもよく、ＤＲＢに関連付けられる上記少なくとも１つのＵＬ  ＴＥＩＤは、ＵＥコンテキスト修正要求においてＤＵへ送信されてもよい。
【００６１】
具体的な実施形態において、上記少なくとも１つのＵＬ  ＴＥＩＤは、複数のＵＬ  ＴＥＩＤを含み、当該複数のＵＬ  ＴＥＩＤの各々は、当該複数のＤＲＢのうちのそれぞれ１つに関連付けられる。同様に、上記少なくとも１つのＤＬ  ＴＥＩＤは、複数のＤＬ  ＴＥＩＤを含んでもよく、当該複数のＤＬ  ＴＥＩＤの各々は、複数のＤＲＢのうちのそれぞれ１つに関連付けられてもよい。
【００６２】
図７は、ある実施形態に係るネットワークノードのＣＵ−ＣＰによりＴＥＩＤを割当てるための他の例としての方法５００を示している。その方法は、ステップ５１０で開始し、ＣＵ−ＣＰは、ネットワークノードのＣＵ−ＵＰへベアラセットアップ要求を送信する。ステップ５２０で、ＣＵ−ＣＰは、ＣＵ−ＵＰからベアラセットアップ応答を受信する。ベアラセットアップ応答は、ベアラごとの少なくとも１つのＵＬ  ＴＥＩＤを含む。ステップ５３０で、ＣＵ−ＣＰは、ＤＵへコンテキストセットアップ要求を送信する。コンテキストセットアップ要求は、ベアラごとの上記少なくとも１つのＵＬ  ＴＥＩＤを含む。ステップ５４０で、ＣＵ−ＣＰは、ベアラごとの少なくとも１つのＤＬ  ＴＥＩＤを含むコンテキストセットアップ応答をＤＵから受信する。ステップ５５０で、ＣＵ−ＣＰは、ＤＵから受信されたものとしてのベアラごとの上記少なくとも１つの１つのＤＬ  ＴＥＩＤを含むベアラ修正要求をＣＵ−ＵＰへ送信する。ステップ５６０で、ＣＵ−ＣＰは、ＣＵ−ＵＰからベアラ修正応答を受信する。
【００６３】
図８は、ある実施形態に係るネットワークノードのＣＵ−ＵＰによりＴＥＩＤを割当てるための一例としての方法６００を示している。その方法は、ステップ６１０で開始し、ＣＵ−ＵＰは、ＤＲＢに関連付けられる少なくとも１つのＵＬ  ＴＥＩＤを、ＤＵへの転送のためにＣＵ−ＣＰへ送信する。
【００６４】
ステップ６２０で、ＣＵ−ＵＰは、ＤＲＢに関連付けられる少なくとも１つのＤＬ  ＴＥＩＤをＣＵ−ＣＰから受信する。上記少なくとも１つのＤＬ  ＴＥＩＤは、ＤＵにより判定され、ＣＵ−ＣＰによりＣＵ−ＵＰへ転送される。
【００６５】
具体的な実施形態において、上記方法は、ＣＵ−ＵＰにより、ＣＵ−ＣＰからベアラセットアップ要求を受信すること、をさらに含んでもよい。ＤＲＢに関連付けられる上記少なくとも１つのＵＬ  ＴＥＩＤは、ベアラセットアップ応答において受信されてもよい。
【００６６】
具体的な実施形態において、ＤＲＢに関連付けられる上記少なくとも１つのＤＬ  ＴＥＩＤは、ベアラ修正要求としてＣＵ−ＣＰから受信されてもよく、上記方法は、ＣＵ−ＵＰがＣＵ−ＣＰへベアラ修正応答を送信すること、をさらに含んでもよい。
【００６７】
具体的な実施形態において、上記少なくとも１つのＵＬ  ＴＥＩＤは、複数のＵＬ  ＴＥＩＤを含み、当該複数のＵＬ  ＴＥＩＤの各々は、複数のＤＲＢのうちのそれぞれ１つに関連付けられてもよい。同様に、上記少なくとも１つのＤＬ  ＴＥＩＤは、複数のＤＬ  ＴＥＩＤを含んでもよく、当該複数のＤＬ  ＴＥＩＤの各々は、複数のＤＲＢのうちのそれぞれ１つに関連付けられてもよい。
【００６８】
図９は、ある実施形態に係るネットワークノードのＤＵによりＴＥＩＤを割当てるための一例としての方法７００を示している。その方法は、ステップ７１０で開始し、ＤＵは、ＣＵ−ＣＰからＤＲＢに関連付けられる少なくとも１つのＵＬ  ＴＥＩＤを受信する。上記少なくとも１つのＵＬ  ＴＥＩＤは、ＣＵ−ＵＰにより判定され、ＣＵ−ＣＰによりＤＵへ転送される。
【００６９】
ステップ７２０で、ＤＵは、ＤＲＢに関連付けられる少なくとも１つのダウンリンクＴＥＩＤ（ＤＬ  ＴＥＩＤ）をＣＵ−ＵＰへの転送のためにＣＵ−ＣＰへ送信する。
【００７０】
具体的な実施形態において、上記少なくとも１つのＵＬ  ＴＥＩＤ及び上記少なくとも１つのＤＬ  ＴＥＩＤは、順に交換され、上記少なくとも１つのＤＬ  ＴＥＩＤがＣＵ−ＣＰへ送信される前に、上記少なくとも１つのＵＬ  ＴＥＩＤがＤＵにより受信される。
【００７１】
具体的な実施形態において、ＤＲＢに関連付けられる上記少なくとも１つのＵＬ  ＴＥＩＤは、コンテキストセットアップ要求においてＤＵにより受信され、ＤＲＢに関連付けられる上記少なくとも１つのＤＬ  ＴＥＩＤは、コンテキストセットアップ応答においてＣＵ−ＣＰへ送信される。
【００７２】
具体的な実施形態において、上記少なくとも１つのＵＬ  ＴＥＩＤ及び上記少なくとも１つのＤＬ  ＴＥＩＤは、順に交換され、上記少なくとも１つのＵＬ  ＴＥＩＤがＣＵ−ＣＰから受信される前に、上記少なくとも１つのＤＬ  ＴＥＩＤがＣＵ−ＣＰへ送信される。
【００７３】
具体的な実施形態において、上記少なくとも１つのＵＬ  ＴＥＩＤ及び上記少なくとも１つのＤＬ  ＴＥＩＤは並列で交換される。例えば、具体的な実施形態において、上記少なくとも１つのＤＬ  ＴＥＩＤは、コンテキストセットアップ応答においてＣＵ−ＣＰへ送信されてもよく、上記少なくとも１つのＵＬ  ＴＥＩＤは、ＵＥコンテキスト修正要求においてＣＵ−ＣＰから受信されてもよい。
【００７４】
具体的な実施形態において、上記少なくとも１つのＵＬ  ＴＥＩＤは、複数のＵＬ  ＴＥＩＤを含み、当該複数のＵＬ  ＴＥＩＤの各々は、複数のＤＲＢのうちのそれぞれ１つに関連付けられる。同様に、上記少なくとも１つのＤＬ  ＴＥＩＤは、複数のＤＬ  ＴＥＩＤを含んでもよく、当該複数のＤＬ  ＴＥＩＤの各々は、複数のＤＲＢのうちのそれぞれ１つに関連付けられてもよい。
【００７５】
図１０は、ある実施形態に従ってトンネルエンドポイント識別子（ＴＥＩＤ）を割当てるための、ネットワーク８００の一実施形態を示すブロック図である。ネットワーク８００は、ワイヤレスデバイス８１０又はＵＥ８１０と互換可能に言及され得る１つ以上のワイヤレスデバイス８１０Ａ〜Ｃと、ネットワークノード８１５又はｅＮｏｄｅＢ８１５と互換可能に言及され得るネットワークノード８１５Ａ〜Ｃと、を含む。ワイヤレスデバイス８１０は、ワイヤレスインタフェース上でネットワークノード８１５と通信し得る。例えば、ワイヤレスデバイス８１０Ａは、ネットワークノード８１５のうちの１つ以上へワイヤレス信号を送信してもよく、及び／又は、ネットワークノード８１５のうちの１つ以上からワイヤレス信号を受信してもよい。ワイヤレス信号は、音声トラフィック、データトラフィック、制御信号及び／又は任意の他の適した情報を含み得る。いくつかの実施形態において、ネットワークノード８１５に関連付けられるワイヤレス信号カバレッジのエリアは、セルとして言及され得る。いくつかの実施形態において、ワイヤレスデバイス８１０は、Ｄ２Ｄケイパビリティを有していてもよい。よって、ワイヤレスデバイス８１０は、他のワイヤレスデバイス８１０との間で直接的に信号を受信し及び／又は信号を送信することが可能であってもよい。例えば、ワイヤレスデバイス８１０Ａは、ワイヤレスデバイス８１０Ｂとの間で信号を受信し及び／又は信号を送信することが可能であってもよい。
【００７６】
ある実施形態において、ネットワークノード８１５は、（図１０には描かれていない）無線ネットワークコントローラとインタフェースしていてもよい。無線ネットワークコントローラは、ネットワークノード８１５を制御し、ある無線リソース管理機能、モビリティ管理機能、及び／又は他の適した機能を提供し得る。ある実施形態において、無線ネットワークコントローラの機能は、ネットワークノード８１５に含まれてもよい。無線ネットワークコントローラは、コアネットワークノードとインタフェースしていてもよい。ある実施形態において、無線ネットワークコントローラは、相互接続ネットワークを介してコアネットワークノードとインタフェースしていてもよい。相互接続ネットワークは、音声、映像、信号、データ、メッセージを送信可能な任意の相互接続システム又は前述したものの任意の組合せへの言及であり得る。相互接続ネットワークは、ＰＳＴＮ（public switched telephone network）、パブリック若しくはプライベートデータネットワーク、ＬＡＮ（local area network）、ＭＡＮ（metropolitan area network）、ＷＡＮ（wide area network）、ローカル、リジョナル、若しくはインターネットなどのグローバルな通信若しくはコンピュータネットワーク、有線回線若しくはワイヤレスネットワーク、企業のイントラネット、又は、それらの組合せを含む任意の他の適した通信リンク、の全て若しくは一部を含み得る。
【００７７】
いくつかの実施形態において、コアネットワークノードは、通信セッションの確立及び他の多様なワイヤレスデバイス８１０向けの機能性を管理し得る。ワイヤレスデバイス８１０は、ＮＡＳ（non-access stratum）レイヤを用いて、コアネットワークノードとの間である信号を交換し得る。ＮＡＳ（non-access stratum）シグナリングにおいて、ワイヤレスデバイス８１０とコアネットワークノードとの間の信号は、無線アクセスネットワークを透過的に通過し得る。ある実施形態において、ネットワークノード８１５は、ノード間インタフェース上で１つ以上のネットワークノードとインタフェースしていてもよい。例えば、ネットワークノード８１５Ａ及び８１５Ｂは、Ｘ２インタフェース上でインタフェースしていてもよい。
【００７８】
上述したように、ネットワーク８００の例示的な実施形態は、１つ以上のワイヤレスデバイス８１０と、ワイヤレスデバイス８１０と（直接的に又は間接的に）通信可能な様々なタイプの１つ以上のネットワークノードとを含み得る。ワイヤレスデバイス８１０は、セルラー又はモバイル通信システムにおいて、ノードとの間で及び／若しくは他のワイヤレスデバイスとの間で通信する、いかなるタイプのワイヤレスデバイスへの言及であってもよい。ワイヤレスデバイス８１０の例は、モバイルフォン、スマートフォン、ＰＤＡ（Personal Digital Assistant）、ポータブルコンピュータ（例えば、ラップトップ、タブレット）、センサ、モデム、マシンタイプ通信（ＭＴＣ）デバイス／マシンツーマシン（Ｍ２Ｍ）デバイス、ＬＥＥ（laptop embedded equipment）、ＬＭＥ（laptop mounted equipment）、ＵＳＢドングル、Ｄ２Ｄ対応デバイス、又はワイヤレス通信を提供可能な他のデバイスを含む。ワイヤレスデバイス８１０は、いくつかの実施形態において、ＵＥ、ステーション（ＳＴＡ）、デバイス、又は端末として言及されてもよい。また、いくつかの実施形態において、“無線ネットワークノード”（又は単に“ネットワークノード”）という汎用的な用語が使用されている。それは、いかなる種類のネットワークノードであってもよく、ノードＢ、マルチ標準無線（ＭＳＲ）ＢＳといったＭＳＲ無線ノード、ｅＮｏｄｅＢ、ネットワークコントローラ、無線ネットワークコントローラ（ＲＮＣ）、基地局コントローラ（ＢＳＣ）、リレーを制御するリレードナーノード、基地送受信局（ＢＴＳ）、アクセスポイント（ＡＰ）、送信ポイント、送信ノード、リモートＲＦユニット（ＲＲＵ）、リモート無線ヘッド（ＲＲＨ）、分散アンテナシステム（ＤＡＳ）内のノード、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴ、又は任意の適したネットワークノードを含み得る。ネットワークノード８１５、ワイヤレスデバイス８１０及び他のネットワークノード（無線ネットワークコントローラ又はコアネットワークノード）の例示的な実施形態が、それぞれ図１１、図１４及び図１５１を基準としてより詳細に説明される。
【００７９】
図１０はネットワーク８００の具体的な配置を示しているものの、本開示について、ここで説明される多様な実施形態が任意の適した構成を有する種々のネットワークに当てはまり得るものと考えられる。例えば、ネットワーク８００は、いかなる適した数のワイヤレスデバイス８１０及びネットワークノード８１５を含んでもよく、加えて、ワイヤレスデバイス間又はワイヤレスデバイスと（固定電話などの）他の通信デバイスとの間の通信をサポートするために適したいかなる追加的なエレメントをも含んでもよい。さらに、ある実施形態はＬＴＥ（long term evolution）ネットワークにおいて実装されるものとして説明され得るものの、それら実施形態は、任意の適した通信標準をサポートし及び任意の適したコンポーネントを用いるいかなる適切なタイプの電気通信システムに実装されてもよく、ワイヤレスデバイスが信号（例えば、データ）を受信し及び／又は送信する任意の無線アクセス技術（ＲＡＴ）システム若しくはマルチＲＡＴシステムに適用可能である。例えば、ここで説明される多様な実施形態は、ＬＴＥ、ＬＴＥアドバンスト、ＬＴＥ−Ｕ、ＵＭＴＳ、ＨＳＰＡ、ＧＳＭ、ｃｄｍａ２０００、ＷｉＭａｘ、ＷｉＦｉ、他の適した無線アクセス技術、又は１つ以上の無線アクセス技術の任意の適した組合せに適用可能であり得る。ある実施形態はダウンリンクにおけるワイヤレス通信の文脈で説明されているかもしれないが、本開示は、多様な実施形態がアップリンクに等しく適用可能であることを念頭においており、逆もまた然りである。
【００８０】
ここで説明されるトンネルエンドポイント（ＴＥＩＤ）を割当てるための技法は、ライセンス免除チャネルにおけるＬＡＡ  ＬＴＥ及びスタンドアローンＬＴＥの動作の双方に適用可能である。説明される技法は、概して、ネットワークノード８１５及びワイヤレスデバイス８１０の双方からの送信に適用可能である。
【００８１】
図１１は、ある実施形態に従ってトンネルエンドポイント識別子（ＴＥＩＤ）を割当てるための、一例としてのネットワーク８１５を示している。ネットワークノード８１５は、ＵＥ及び／又は他のネットワークノードと通信する任意のタイプの無線ネットワークノード若しくは任意のネットワークノードであってよい。ネットワークノード８１５の例は、ｇＮＢ、ｅＮｏｄｅＢ、ノードB、基地局、ワイヤレスアクセスポイント（例えば、Ｗｉ−Ｆｉアクセスポイント）、低電力ノード、基地送受信局（ＢＴＳ）、リレー、リレーを制御するドナーノード、送信ポイント、送信ノード、ＲＲＵ、ＲＲＨ、マルチ標準無線（ＭＳＲ）ＢＳといったＭＳＲ無線ノード、分散アンテナシステム（ＤＡＳ）内のノード、Ｏ＆Ｍ、ＯＳＳ、ＳＯＮ、測位ノード（例えば、Ｅ−ＳＭＬＣ）、ＭＤＴ、又は任意の他の適したネットワークノードを含む。複数のネットワークノード８１５が、ホモジーニアスな配備、ヘテロジーニアスな配備、又は混合型の配備の通りに、ネットワーク８００にわたって配備されてよい。ホモジーニアスな配備は、概して、同じ（若しくは類似の）タイプのネットワークノード８１５、並びに／又は類似のカバレッジ、セルサイズ及びサイト間距離からなる配備をいうものであってよい。ヘテロジーニアスな配備は、概して、相異なるセルサイズ、送信電力、キャパシティ、及びサイト間距離を有する多様なタイプのネットワークノード８１５を用いる配備をいうものであってよい。例えば、ヘテロジーニアスな配備は、マクロセルレイアウトを通じて配置された複数の低電力ノードを含んでもよい。混合型の配備は、ホモジーニアスな部分とヘテロジーニアスな部分との混合を含み得る。
【００８２】
ネットワークノード８１５は、送受信機９１０、（例えば、１つ以上のプロセッサを含み得る）処理回路９２０、メモリ９３０及びネットワークインタフェース９４０のうちの１つ以上を含んでよい。いくつかの実施形態において、送受信機９１０は、ワイヤレスデバイス８１０との間での（例えば、アンテナ９５０を介する）ワイヤレス信号の送信及びワイヤレス信号の受信を促進する；処理回路９２０は、ネットワークノード８１５により提供されるものとして上で説明した機能性のいくつか又は全てを提供するための命令群を実行する；メモリ９３０は、処理回路９２０により実行される命令群を記憶する；ネットワークインタフェース９４０は、ゲートウェイ、スイッチ、ルータ、インターネット、ＰＳＴＮ（Public Switched Telephone Network）、コアネットワークノード又は無線ネットワークコントローラなどといったバックエンドのネットワークコンポーネントに対し信号を通信する。
【００８３】
処理回路９２０は、ここでセクション３、４又は６のいずれかとの関係で説明されるもののような、命令群を実行し及びデータを操作して、ネットワークノード８１５の説明した機能のいくつか又は全てを実行するための、ハードウェアと１つ以上のモジュールに実装されるソフトウェアとの任意の適した組合せを含んでもよい。例えば、概して、処理回路９２０は、ネットワークノードに、システム情報の通知を含むページングメッセージを送信すること、を行わせ得る。ある実施形態において、システム情報の通知は、アクセスリソースに掛かる過負荷の状況のリスクにおける変化を検出したことに応じて送信されてもよく、ワイヤレスデバイス８１０が過去に記憶済みのシステム情報のバージョンを適用すべきであることを示してもよい。いくつかの実施形態において、処理回路９２０は、例えば、１つ以上のコンピュータ、１つ以上のＣＰＵ（central processing unit）、１つ以上のマイクロプロセッサ、１つ以上のアプリケーション、及び／又は他のロジックを含み得る。
【００８４】
メモリ９３０は、概して、コンピュータプログラム、ソフトウェア、ロジック、ルール、アルゴリズム、コード、テーブルなどのうちの１つ以上を含むアプリケーション、及び／又はプロセッサにより実行可能な他の命令群、といった命令群を記憶するように動作可能である。メモリ９３０の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は情報を記憶する任意の他の揮発性若しくは不揮発性の非一時的なコンピュータ読取可能な及び／若しくはコンピュータ実行可能なメモリデバイスを含む。
【００８５】
いくつかの実施形態において、ネットワークインタフェース９４０は、処理回路９２０へ通信可能に連結されており、ネットワークノード８１５向けの入力を受信し、ネットワークノード８１５からの出力を送信し、当該入力、出力若しくは双方の適した処理を実行し、他のデバイスへ通信し、又はそれらの任意の組合せを行うように動作可能な、任意の適したデバイスへの言及であってよい。ネットワークインタフェース９４０は、ネットワークを通じて通信するための、プロトコル変換及びデータ処理のケイパビリティを含む、適切なハードウェア（例えば、ポート、モデム、ネットワークインタフェースカードなど）及びソフトウェアを含み得る。
【００８６】
ネットワークノード８１５の他の実施形態は、（上述した解決策をサポートするために必要とされる任意の機能性を含む）上述した機能性のいずれか及び／又は何らかの追加的な機能性を含む無線ネットワークノードの機能性の何らかの観点を提供することに責任を有し得る、図１１に示したもの以外の追加的なコンポーネントを含んでもよい。多様な様々なタイプのネットワークノードが、同一の物理的なハードウェアを有するコンポーネントを備えてもよいが、相異なる無線アクセス技術を（例えば、プログラミングを介して）サポートするように構成されてもよく、又は部分的に若しくは全体的に異なる物理的なコンポーネントを表してもよい。
【００８７】
図１２は、ある実施形態に従ってトンネルエンドポイント識別子（ＴＥＩＤ）を割当てるための、ネットワーク８１５による一例としての方法１０００を示している。その方法は、ステップ１００２で開始し、ネットワークノード８１５は、当該ネットワークノードのＣＵ−ＵＰの接続先が当該ネットワークノードの複数のＣＵ−ＣＰであるか又は単一のＣＵ−ＣＰであるかを判定する。
【００８８】
ＣＵ−ＵＰが複数のＣＵ−ＣＰへ接続されている場合、ＴＥＩＤの割当ては、ステップ１００４で、ＣＵ−ＵＰにより管理される。具体的な実施形態において、ＣＵ−ＵＰは、ＵＬ  ＴＥＩＤ及びＤＬ  ＴＥＩＤを順に交換してもよく、ＵＬ  ＴＥＩＤはＤＬ  ＴＥＩＤの前に交換されてもよい。特に、ＵＬ  ＴＥＩＤ及びＤＬ  ＴＥＩＤを順に交換することは、以下のことを含み得る：
・ＣＵ−ＣＰにより、ＣＵ−ＵＰへベアラセットアップ要求を送信；
・ＣＵ−ＣＰにより、ベアラごとのアップリンクＴＥＩＤ（ＵＬ  ＴＥＩＤ）を含むベアラセットアップ応答をＣＵ−ＵＰから受信；
・ＣＵ−ＣＰにより、ベアラごとのＵＬ  ＴＥＩＤを含むコンテキストセットアップ要求をＤＵへ送信；
・ＣＵ−ＣＰにより、ベアラごとのダウンリンクＴＥＩＤ（ＤＬ  ＴＥＩＤ）を含むコンテキストセットアップ応答をＤＵから受信；
・ＣＵ−ＣＰにより、ＤＵから受信した通りのＤＲＢごとのＤＬ  ＴＥＩＤを含むベアラ修正要求をＣＵ−ＵＰへ送信；
・ＣＵ−ＣＰにより、ＣＵ−ＵＰからベアラ修正応答を受信。
代替的に、ＤＬ  ＴＥＩＤがＵＬ  ＴＥＩＤの前に交換されてもよい。
【００８９】
他の具体的な実施形態において、ＣＵ−ＵＰは、以下のことによって、ＵＬ  ＴＥＩＤ及びＤＬ  ＴＥＩＤを並列で交換してもよい：
・ＣＵ−ＣＰにより、ＣＵ−ＵＰへベアラセットアップ要求を送信；
・ＣＵ−ＣＰにより、ベアラごとのＵＬ  ＴＥＩＤを含むベアラセットアップ応答を受信；
・ＣＵ−ＣＰにより、ＤＵへＵＥコンテキストセットアップ要求を送信；
・ＣＵ−ＣＰにより、ベアラごとのＤＬ  ＴＥＩＤを含むＵＥコンテキストセットアップ応答をＤＵから受信；
・ＣＵ−ＣＰにより、ＤＵから受信されたベアラごとのＤＬ  ＴＥＩＤを含むベアラ修正要求をＣＵ−ＵＰへ送信；
・ＣＵ−ＣＰにより、ＣＵ−ＵＰからベアラ修正応答を受信；
・ＣＵ−ＣＰにより、ベアラごとのＵＬ  ＴＥＩＤを含むＵＥコンテキスト修正要求をＤＵへ送信；
・ＣＵ−ＣＰにより、ＵＥコンテキスト修正応答をＤＵから受信。
具体的な実施形態において、ＣＵ−ＣＰは、ＵＥ向けのＲＲＣ再構成メッセージをも含むＤＬ  ＲＲＣメッセージを用いて、ベアラごとのＵＬ  ＴＥＩＤをＤＵへ送信してもよい。他の実施形態において、ＣＵ−ＣＰは、ＣＵ−ＵＰへニューコール１又はクラス２手続を用いて、ベアラごとのＵＬ  ＴＥＩＤをＤＵへ送信してもよい。また、ＣＵ−ＣＰは、ニューコール１又はクラス２手続を用いて、ＤＬ  ＴＥＩＤをＣＵ−ＵＰへ送信してもよい。
【００９０】
他の実施形態において、ＣＵ−ＵＰが単一のＣＵ−ＣＰへ接続されている場合、ＴＥＩＤの割当ては、ステップ８０６で、ＣＵ−ＣＰにより管理される。具体的な実施形態によれば、ＵＬ  ＴＥＩＤは、ＵＥ  ＴＥＩＤ及びＤＬ  ＴＥＩＤが半静的に交換される形で割当てられ得る。例えば、具体的な実施形態において、ＣＵ−ＣＰは以下の通りであってよい：
・ＣＵ−ＵＰへセットアップ要求を送信；
・ＣＵ−ＣＰにより確立されるベアラのために予約されたアップリンクＴＥＩＤ（ＵＬ  ＴＥＩＤ）の範囲を含むセットアップ応答をＣＵ−ＵＰから受信；
・ベアラごとに１つのＵＬ  ＴＥＩＤを割当て；
・確立された各ベアラについてのＤＬ及びＵＬのＴＥＩＤを含むベアラセットアップ要求をＣＵ−ＵＰへ送信；
・ＣＵ−ＵＰからベアラ修正応答を受信。
具体的な実施形態において、例えば、ベアラごとに１つのＵＬ  ＴＥＩＤの割当ては、ベアラごとのＵＬ  ＴＥＩＤを含むＵＥコンテキストセットアップ要求をＤＵへ送信することと、ベアラごとのＤＬ  ＴＥＩＤを含むＵＥコンテキストセットアップ応答をＤＵから受信することと、を含んでもよい。
【００９１】
ある別の実施形態によれば、ＣＵ−ＵＰが複数のＣＵ−ＣＰへ接続されてもよく、ＴＥＩＤの割当ては試行錯誤アプローチによりなされてもよい。具体的には、ＣＵ−ＣＰは、他のＣＵ−ＣＰにより既に使用中のＴＥＩＤを選択する可能性がある。ＣＵ−ＵＰは、新たなＵＬ  ＴＥＩＤを割り当てることによりその競合を解消してもよく、新たなＵＬ  ＴＥＩＤはＣＵ−ＣＰへ送信され得る。そして、ＣＵ−ＣＰは、その新たなＵＬ  ＴＥＩＤをＤＵへ送信し得る。具体的な実施形態において、新たなＵＬ  ＴＥＩＤは、ＵＥコンテキスト修正手続を用いて、又はＵＥ向けのＲＲＣ構成メッセージをも含むダウンリンク無線リソース制御（ＤＬ  ＲＲＣ）メッセージトランスファを用いて、ＤＵへ送信される。
【００９２】
ステップ１００８では、ＣＵ−ＵＰ又はＣＵ−ＣＰにより割当てられたＴＥＩＤを用いて、データベアラが確立される。
【００９３】
ある実施形態において、トンネルエンドポイント識別子（ＴＥＩＤ）を割当てるための方法は、仮想コンピューティングデバイスにより実行されてもよい。図１３は、ある実施形態に従ってトンネルエンドポイント識別子（ＴＥＩＤ）を割当てるための、一例としての仮想コンピューティングデバイス１１００を示している。ある実施形態において、仮想コンピューティングデバイス１１００は、図１２に示し説明した方法に関する上述したものと同様のステップ群を実行するためのモジュール群を含んでもよい。例えば、仮想コンピューティングデバイス１１００は、判定モジュール１１１０、第１管理モジュール１１２０、第２管理モジュール１１３０、確立モジュール１１４０、及び、トンネルエンドポイント識別子（ＴＥＩＤ）を割当てるための任意の他の適したモジュールを含み得る。いくつかの実施形態において、上記モジュールのうちの１つ以上は、図１１の処理回路９２０を用いて実装されてもよい。ある実施形態において、多様なモジュールの２つ以上の機能が単一のモジュールへ組み合わされてもよい。
【００９４】
判定モジュール１１１０は、仮想コンピューティングデバイス１１００の判定機能のうちの何らかのものを実行し得る。例えば、具体的な実施形態において、判定モジュール１１１０は、ネットワークノードのＣＵ−ＵＰの接続先が当該ネットワークノードの複数のＣＵ−ＣＰであるか又は単一のＣＵ−ＣＰであるかを判定し得る。
【００９５】
第１管理モジュール１１２０は、仮想コンピューティングデバイス１１００の管理機能のうちの何らかのものを実行し得る。例えば、具体的な実施形態において、ＣＵ−ＵＰが複数のＣＵ−ＣＰへ接続されている場合に、第１管理モジュール１１２０は、ＣＵ−ＵＰによりＴＥＩＤの割当てを管理し得る。
【００９６】
第２管理モジュール１１３０は、仮想コンピューティングデバイス１１００の管理機能のうちの何らかのものを実行し得る。例えば、具体的な実施形態において、ＣＵ−ＵＰが単一のＣＵ−ＣＰへ接続されている場合に、第２管理モジュール１１３０は、ＣＵ−ＣＰによりＴＥＩＤの割当てを管理し得る。
【００９７】
確立モジュール１１４０は、仮想コンピューティングデバイス１１００の確立機能のうちの何らかのものを実行し得る。例えば、具体的な実施形態において、確立モジュール１１４０は、ＣＵ−ＵＰ又はＣＵ−ＣＰにより割当てられるＴＥＩＤを用いてデータベアラを確立し得る。
【００９８】
仮想コンピューティングデバイス１１００の他の実施形態は、（上述した解決策をサポートするために必要とされる任意の機能性を含む）上述した機能性のいずれか及び／又は何らかの追加的な機能性を含むネットワークノードの機能性の何らかの観点を提供することに責任を有し得る、図１３に示したもの以外の追加的なコンポーネントを含んでもよい。多様な様々なタイプのワイヤレスデバイスが、同一の物理的なハードウェアを有するコンポーネントを備えてもよいが、相異なる無線アクセス技術を（例えば、プログラミングを介して）サポートするように構成されてもよく、又は部分的に若しくは全体的に異なる物理的なコンポーネントを表してもよい。
【００９９】
図１４は、ある実施形態に従ってトンネルエンドポイント識別子（ＴＥＩＤ）を割当てるための、例示的なワイヤレスデバイス８１０のブロック概略図である。ワイヤレスデバイス８１０は、セルラー又はモバイル通信システムにおいて、ノードとの間で及び／若しくは他のワイヤレスデバイスとの間で通信する、いかなるタイプのワイヤレスデバイスへの言及であってもよい。ワイヤレスデバイス８１０の例は、モバイルフォン、スマートフォン、ＰＤＡ（Personal Digital Assistant）、ポータブルコンピュータ（例えば、ラップトップ、タブレット）、センサ、モデム、ＭＴＣデバイス／マシンツーマシン（Ｍ２Ｍ）デバイス、ＬＥＥ（laptop embedded equipment）、ＬＭＥ（laptop mounted equipment）、ＵＳＢドングル、Ｄ２Ｄ対応デバイス、又はワイヤレス通信を提供可能な他のデバイスを含む。ワイヤレスデバイス８１０は、いくつかの実施形態において、ＵＥ、ステーション（ＳＴＡ）、デバイス、又は端末として言及されてもよい。ワイヤレスデバイス８１０は、送受信機１２１０、処理回路１２２０及びメモリ１２３０を含む。いくつかの実施形態において、送受信機１２１０は、ネットワークノード８１５との間での（例えば、アンテナ１２４０を介する）ワイヤレス信号の送信及びワイヤレス信号の受信を促進し、（１つ以上のプロセッサを含み得る）処理回路１２２０は、ワイヤレスデバイス８１０により提供されるものとして上で説明した機能性のいくつか又は全てを提供するための命令群を実行し、メモリ１２３０は、処理回路１２２０により実行される命令群を記憶する。
【０１００】
処理回路１２２０は、命令を実行し及びデータを操作して、ここで説明したＵＥ８１０（即ち、ワイヤレスデバイス８１０）の機能といった、ワイヤレスデバイス８１０の説明した機能のいくつか又は全てを実行するための、ハードウェアと、１つ以上のモジュールに実装されるソフトウェアとの任意の適した組合せを含み得る。例えば、一般に、処理回路は、ネットワークノード８１５からのページングメッセージにおいて受信されるシステム情報の通知（例えば、システム情報の変更、システム情報の修正、又はシステム情報の更新）に基づいて、システム情報の現行のバージョンを保存してもよく、及び／又は、システム情報の前回記憶したバージョンを適用してもよい。いくつかの実施形態において、処理回路１２２０は、例えば、１つ以上のコンピュータ、１つ以上のＣＰＵ（central processing unit）、１つ以上のマイクロプロセッサ、１つ以上のアプリケーション、１つ以上のＡＳＩＣ（application specific integrated circuit）、１つ以上のＦＰＧＡ（field programmable gate array）及び／又は他のロジックを含んでもよい。
【０１０１】
メモリ１２３０は、概して、コンピュータプログラム、ソフトウェア、ロジック、ルール、アルゴリズム、コード、テーブルなどのうちの１つ以上を含むアプリケーション、及び／又はプロセッサにより実行可能な他の命令群、といった命令群を記憶するように動作可能である。メモリ１２３０の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は、プロセッサ１２２０により使用され得る情報、データ及び／若しくは命令群を記憶する任意の他の揮発性若しくは不揮発性の非一時的なコンピュータ読取可能な及び／若しくはコンピュータ実行可能なメモリデバイスを含む。
【０１０２】
ワイヤレスデバイス８１０の他の実施形態は、オプションとして、（上述した解決策をサポートするために必要とされる任意の機能性を含む）上述した機能性のいずれか及び／又は何らかの追加的な機能性を含むワイヤレスデバイスの機能性の何らかの観点を提供することに責任を有し得る、図１４に示したもの以外の追加的なコンポーネントを含んでもよい。単なる１つの例として、ワイヤレスデバイス８１０は、入力デバイス及び回路、出力デバイス、並びに１つ以上の同期ユニット又は回路を含んでもよく  これらは処理回路１２２０の一部であってもよい。入力デバイスは、ワイヤレスデバイス８１０へデータを入力するための仕組みを含む。例えば、入力デバイスは、マイクロフォン、入力エレメント、ディスプレイなどといった入力の仕組みを含んでもよい。出力デバイスは、データを音声、映像、及び／又はハードコピーのフォーマットで出力するための仕組みを含んでもよい。例えば、出力デバイスは、スピーカ、ディスプレイなどを含んでもよい。
【０１０３】
図１５は、ある実施形態に係る例示的な無線ネットワークコントローラ又はコアネットワークノード１３００を示している。ネットワークノードの例は、モバイルスイッチングセンタ（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などを含むことができる。無線ネットワークコントローラ又はコアネットワークノードは、（例えば、１つ以上のプロセッサを含み得る）処理回路１３０２、ネットワークインタフェース１３０４及びメモリ１３０６を含む。いくつかの実施形態において、処理回路１３０２は、ネットワークノードにより提供されるものとして上で説明した機能性のいくつか又は全てを提供するための命令群を実行する；メモリ１３０６は、処理回路１３０２により実行される命令群を記憶する；ネットワークインタフェース１３０４は、ゲートウェイ、スイッチ、ルータ、インターネット、ＰＳＴＮ（Public Switched Telephone Network）、ネットワークノード８１５、無線ネットワークコントローラ又はコアネットワークノードどといった任意の適したノードに対し信号を通信する。
【０１０４】
プロセッサ１３０２は、命令を実行し及びデータを操作して、無線ネットワークコントローラ又はネットワークノードの説明した機能の一部又は全部を実行するための、ハードウェア及び１つ以上のモジュールに実装されるソフトウェアのいかなる適した組合せを含んでもよい。いくつかの実施形態において、処理回路１３０２は、例えば、１つ以上のコンピュータ、１つ以上のＣＰＵ（central processing unit）、１つ以上のマイクロプロセッサ、１つ以上のアプリケーション、及び／又は他のロジックを含み得る。
【０１０５】
メモリ１３０６は、概して、コンピュータプログラム、ソフトウェア、ロジック、ルール、アルゴリズム、コード、テーブルなどのうちの１つ以上を含むアプリケーション、及び／又はプロセッサにより実行可能な他の命令群、といった命令群を記憶するように動作可能である。メモリ１３０６の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は情報を記憶する任意の他の揮発性若しくは不揮発性の非一時的なコンピュータ読取可能な及び／若しくはコンピュータ実行可能なメモリデバイスを含む。
【０１０６】
いくつかの実施形態において、ネットワークインタフェース１３０４は、処理回路１３０２へ通信可能に連結されており、ネットワークノード向けの入力を受信し、ネットワークノードからの出力を送信し、当該入力、出力若しくは双方の適した処理を実行し、他のデバイスへ通信し、又はそれらの任意の組合せを行うように動作可能な、任意の適したデバイスへの言及であってよい。ネットワークインタフェース１３０４は、ネットワークを通じて通信するための、プロトコル変換及びデータ処理のケイパビリティを含む、適切なハードウェア（例えば、ポート、モデム、ネットワークインタフェースカードなど）及びソフトウェアを含み得る。
【０１０７】
ネットワークノードの他の実施形態は、（上述した解決策をサポートするために必要とされる任意の機能性を含む）上述した機能性のいずれか及び／又は何らかの追加的な機能性を含むネットワークノードの機能性の何らかの観点を提供することに責任を有し得る、図１５に示したもの以外の追加的なコンポーネントを含んでもよい。
【０１０８】
図１６は、ある実施形態に係るホストコンピュータへ中間ネットワークを介して接続される電気通信ネットワークを概略的に示している。一実施形態によれば、通信システムは、３ＧＰＰ型のセルラーネットワークといった電気通信ネットワーク３２１０を含み、電気通信ネットワーク３２１０は、無線アクセスネットワークといったアクセスネットワーク３２１１とコアネットワーク３２１４とを含む。アクセスネットワーク３２１１は、ＮＢ、ｅＮＢ、ｇＮＧ、又は他のタイプの無線アクセスポイントといった複数の基地局３２１２ａ、３２１２ｂ、３２１２ｃを含み、その各々が対応するカバレッジエリア３２１３ａ、３２１３ｂ、３２１３ｃを定義する。各基地局３２１２ａ、３２１２ｂ、３２１２ｃは、有線又は無線接続３２１５上でコアネットワーク３２１４へ接続可能である。カバレッジエリア３２１３ｃに位置する第１のユーザ機器（ＵＥ）３２９１は、対応する基地局３２１２ｃへワイヤレスに接続され又は対応する基地局３２１２ｃによりページングされるように構成される。カバレッジエリア３２１２ａ内の第２のＵＥ３２９２は、対応する基地局３２１２ａへワイヤレスに接続可能である。この例では、複数のＵＥ３２９１、３２９２が図示されているものの、開示される実施形態は、カバレッジエリア内に単一のＵＥがある状況、又は対応する基地局３２１２へ単一のＵＥが接続している状況へ等しく適用可能である。
【０１０９】
電気通信ネットワーク３２１０は、それ自体がホストコンピュータ３２３０へ接続され、ホストコンピュータ３２３０は、スタンドアローンのサーバのハードウェア及び／若しくはソフトウェア、クラウド実装のサーバ、分散型サーバで具現化されてもよく、又はサーバファーム内の処理リソースとして具現化されてもよい。ホストコンピュータ３２３０は、サービスプロバイダの所有下にあってもその制御下にあってもよく、又はサービスプロバイダにより若しくはサービスプロバイダのために運用されてもよい。電気通信ネットワーク３２１０とホストコンピュータ３２３０との間の接続３２２１、３２２２は、コアネットワーク３２１４からホストコンピュータ３２３０へ直接的に伸びていてもよく、オプションとしての中間ネットワーク３２２０を介してつながっていてもよい。中間ネットワーク３２２０は、パブリック、プライベート又はホステッドネットワークのうちの１つ又はそれらの複数の組合せであってもよく、中間ネットワーク３２２０は、もしあればバックボーンネットワーク又はインターネットであってもよく、具体的には、中間ネットワーク３２２０は、２つ以上のサブネットワーク（図示せず）を含んでもよい。
【０１１０】
図１６の通信システムは、全体として、接続されるＵＥ３２９１、３２９２のうちの１つとホストコンピュータ３２３０との間の接続性を可能にする。その接続性は、オーバー・ザ・トップ（ＯＴＴ）接続３２５０として説明されてよい。ホストコンピュータ３２３０及び接続されるＵＥ３２９１、３２９２は、アクセスネットワーク３２１１、コアネットワーク３２１４、任意の中間ネットワーク３２２０及びあり得るさらなる基盤（図示せず）を途中段階として用いて、ＯＴＴ接続３２５０を介してデータ及び／又はシグナリングを通信するように構成される。ＯＴＴ接続３２５０は、ＯＴＴ接続３２５０の通過途上の参加している通信デバイスがアップリンク及びダウンリンクの通信のルーティングを意識しないという意味において、透過的であり得る。例えば、基地局３２１２は、ホストコンピュータ３２３０から発して接続ＵＥ３２９１へ転送（例えば、ハンドオーバ）されるべきデータを伴うインカミングのダウンリンク通信の過去のルーティングについて通知されなくてよく又はその通知を必要としない。同様に、基地局３２１２は、ＵＥ３２９１から発してホストコンピュータ３２３０へ向かうアウトゴーイングのアップリンク通信の将来のルーティングを認識することを必要としない。
【０１１１】
図１７は、ある実施形態に係る部分的にワイヤレスな接続上で基地局を介してユーザ機器と通信するホストコンピュータの概略ブロック図である。前の段落で議論したＵＥ、基地局及びホストコンピュータの一実施形態に係る例示的な実装が、これより図１７を参照しながら説明される。通信システム３３００において、ホストコンピュータ３３１０は、通信システム３３００の異なる通信デバイスのインタフェースとの有線又は無線の接続をセットアップし及び維持するように構成される通信インタフェース３３１６を含むハードウェア３３１５を備える。ホストコンピュータ３３１０は、さらに、記憶及び／又は処理のケイパビリティを有し得る処理回路３３１８を備える。具体的には、処理回路３３１８は、命令群を実行するように適合される、１つ以上のプログラマブルプロセッサ、特定用途向け集積回路、フィールドプログラマブルゲートアレイ又はそれらの組合せ（図示せず）を含んでよい。ホストコンピュータ３３１０は、さらに、ホストコンピュータ３３１０内に記憶され又はホストコンピュータ３３１０によりアクセス可能なソフトウェア３３１１であって、処理回路３３１８により実行可能な当該ソフトウェア３３１１を備える。ソフトウェア３３１１は、ホストアプリケーション３３１２を含む。ホストアプリケーション３３１２は、ＵＥ３３３０及びホストコンピュータ３３１０で終端するＯＴＴ接続３３５０を介して接続しているＵＥ３３３０といったリモートユーザへサービスを提供するように動作可能であり得る。リモートユーザへのサービスの提供中に、ホストアプリケーション３３１２は、ＯＴＴ接続３３５０を用いて送信されるユーザデータを提供し得る。
【０１１２】
通信システム３３００は、電気通信システムにおいて提供される基地局３３２０をさらに含み、基地局３３２０は、ホストコンピュータ３３１０及びＵＥ３３３０と通信することを可能にするハードウェア３３２５を備える。ハードウェア３３２５は、通信システム３３００の異なる通信デバイスのインタフェースとの有線又は無線の接続をセットアップし及び維持するための通信インタフェース３３２６、並びに、基地局３３２０によりサービスされるカバレッジエリア（図１７には示していない）内に位置するＵＥ３３３０との少なくとも無線接続３３７０をセットアップし及び維持するための無線インタフェース３３２７を含み得る。通信インタフェース３３２６は、ホストコンピュータ３３１０への接続３３６０を促進するように構成され得る。接続３３６０は、直接的なものであってもよく、又は、電気通信システムのコアネットワーク（図１７には示されていない）及び／若しくは電気通信システム外の１つ以上の中間ネットワークを通過してもよい。図示した実施形態において、基地局３３２０のハードウェア３３２５は、命令群を実行するように適合される、１つ以上のプログラム可能なプロセッサ、特定用途向け集積回路、フィールドプログラマブルゲートアレイ又はそれらの組合せ（図示せず）を含み得る処理回路３３２８をさらに含む。基地局３３２０は、内部的に記憶され又は外部接続を介してアクセス可能なソフトウェア３３２１をさらに有する。
【０１１３】
通信システム３３００は、既に言及したＵＥ３３３０をさらに含む。そのハードウェア３３３５は、ＵＥ３３３０がその時点で位置するカバレッジエリアへサービスする基地局との無線接続３３７０をセットアップし及び維持するように構成される無線インタフェース３３３７を含み得る。ＵＥ３３３０のハードウェア３３３５は、命令群を実行するように適合される、１つ以上のプログラム可能なプロセッサ、特定用途向け集積回路、フィールドプログラマブルゲートアレイ又はそれらの組合せ（図示せず）を含み得る処理回３３３８をさらに含む。ＵＥ３３３０は、さらに、ＵＥ３３３０内に記憶され又はＵＥ３３３０によりアクセス可能なソフトウェア３３３１であって、処理回路３３３８により実行可能な当該ソフトウェア３３３１を備える。ソフトウェア３３３１は、ホストアプリケーション３３３２を含む。クライアントアプリケーション３３３２は、ホストコンピュータ３３１０のサポートと共に、人間の又は非人間のユーザへＵＥ３３３０を介してサービスを提供するように動作可能であり得る。ホストコンピュータ３３１０において、実行対象のホストアプリケーション３３１２は、実行対象のクライアントアプリケーション３３３２とＵＥ３３３０及びホストコンピュータ３３１０で終端するＯＴＴ接続３３５０を介して通信し得る。ユーザへのサービス提供中に、クライアントアプリケーション３３３２は、ホストアプリケーション３３１２からリクエストデータを受信し、当該リクエストデータへの応答としてユーザデータを提供し得る。ＯＴＴ接続３３５０は、リクエストデータ及びユーザデータの双方を移送し得る。クライアントアプリケーション３３３２は、自身が提供するユーザデータを生成するために、ユーザとインタラクションし得る。
【０１１４】
なお、図１７に示したホストコンピュータ３３１０、基地局３３２０及びＵＥ３３３０は、それぞれ図１６のホストコンピュータ３２３０、基地局３２１２ａ、３２１２ｂ、３２１２ｃのうちの１つ、及びＵＥ３２９１、３２９２のうちの１つと同一であってもよい。言うなれば、これらエンティティの内部的な作用は図１７に示した通りであってよく、それとは独立して、周囲のネットワークトポロジーは図１６のそれであってよい。
【０１１５】
図１７では、ホストコンピュータ３３１０とユーザ機器３３３０との間の基地局３３２０を介する通信を、いかなる中間的なデバイス及びそれらデバイスを介するメッセージの正確なルーティングへの明示的な言及も無く例示するために、ＯＴＴ接続３３５０が抽象的に描かれている。ルーティングを決定するのはネットワーク基盤であってよく、ネットワーク基盤は、ＵＥ３３３０若しくはホストコンピュータ３３１０を動作させるサービスプロバイダ又はそれら双方からルーティングを隠蔽するように構成されてよい。ＯＴＴ接続３３５０がアクティブである間、ネットワーク基盤は、（例えば、負荷分散の考慮又はネットワークの再構成に基づいて）ルーティングを動的に変更するための決定をさらに行ってよい。
【０１１６】
ＵＥ３３３０と基地局３３２０との間の無線接続３３７０は、本開示を通じて説明される実施形態の教示に従う。多様な実施形態の１つ以上が、ＯＴＴ接続３３５０を用いてＵＥ３３３０へ提供されるＯＴＴサービスの性能を改善し、無線接続３３７０はその最後のセグメントを形成する。より正確には、これら実施形態の教示は、データレート及びレイテンシを改善し、それにより低減されたユーザの待ち時間及び／又はより良好な応答性若しくは長くなったバッテリ寿命といった利益を提供し得る。
【０１１７】
データレート、レイテンシ及び１つ以上の実施形態により改善される他の要因を監視する目的で、測定手続が提供されてもよい。測定結果の変動に応じてホストコンピュータ３３１０とＵＥ３３３０との間のＯＴＴ接続３３５０を再構成するためのオプションとしてのネットワークの機能性がさらに存在してもよい。上記測定手続及び／又はＯＴＴ接続３３５０を再構成するためのネットワーク機能性は、ホストコンピュータ３３１０のソフトウェア３３１１若しくはＵＥ３３３０のソフトウェア３３３１、又はそれらの双方において実装されてもよい。複数の実施形態において、通信デバイス内に又は通信デバイスに関連付けて、ＯＴＴ接続３３５０が通過するセンサ（図示せず）が配備されてもよく、それらセンサは、上で例示した監視結果の数量の値を供給し又は他の物理量の値を供給することにより上記測定手続に参加してもよく、それらからソフトウェア３３１１、３３３１により監視対象の量が計算され又は推定され得る。ＯＴＴ接続３３５０の再構成は、メッセージフォーマット、再送設定、好適なルーティングなどを含んでよく、その再構成は、基地局３３２０には影響しなくてもよく、基地局３３２０にとっては未知であるか又は感知不能であってもよい。そうした手続及び機能性は、当分野において既知であり又は実用されているかもしれない。ある実施形態において、測定は、ホストコンピュータ３３１０によるスループット、伝播時間及びレイテンシなどの測定を容易化する独自のＵＥシグナリングを包含してもよい。その測定は、ソフトウェア３３１１、３３３１がＯＴＴ接続３３５０を用いて具体的には空であり又は“ダミー”のメッセージであるメッセージを送信しつつ、伝播時間や誤りなどを監視する形で実装されてもよい。
【０１１８】
図１８は、１つの実施形態に従った、通信システムにおいて実装される方法を描いたフローチャートである。通信システムは、図１６及び図１７を参照しながら説明したものであり得る、ホストコンピュータ、基地局、及びＵＥを含む。本開示を簡明にするために、図１９の図への参照のみが本セクションに含められるであろう。本方法の第１ステップ３４１０において、ホストコンピュータは、ユーザデータを提供する。第１ステップ３４１０のオプションとしてのサブステップ３４１１において、ホストコンピュータは、ホストアプリケーションを実行することによりユーザデータを提供する。第２ステップ３４２０において、ホストコンピュータは、ユーザデータを搬送するＵＥへの送信を開始する。オプションとしての第３ステップ３４３０において、基地局は、本開示を通じて説明される実施形態の教示に従って、ホストコンピュータが開始した上記送信において搬送されたユーザデータをＵＥへ送信する。オプションとしての第４ステップ３４４０において、ＵＥは、ホストコンピュータにより実行されるホストアプリケーションに関連付けられるクライアントアプリケーションを実行する。
【０１１９】
図１９は、１つの実施形態に従った、通信システムにおいて実装される方法を描いたフローチャートである。通信システムは、図１６及び図１７を参照しながら説明したものであり得る、ホストコンピュータ、基地局、及びＵＥを含む。本開示を簡明にするために、図１９の図への参照のみが本セクションに含められるであろう。本方法の第１ステップ３５１０において、ホストコンピュータは、ユーザデータを提供する。オプションとしてのサブステップ（図示せず）において、ホストコンピュータは、ホストアプリケーションを実行することによりユーザデータを提供する。第２ステップ３５２０において、ホストコンピュータは、ユーザデータを搬送するＵＥへの送信を開始する。その送信は、本開示を通じて説明される実施形態の教示に従って、基地局を通過し得る。オプションとしての第３ステップ３５３０において、ＵＥは、上記送信において搬送されるユーザデータを受信する。
【０１２０】
図２０は、１つの実施形態に従った、通信システムにおいて実装される方法を描いたフローチャートである。通信システムは、図１６及び図１７を参照しながら説明したものであり得る、ホストコンピュータ、基地局、及びＵＥを含む。本開示を簡明にするために、図２０の図への参照のみが本セクションに含められるであろう。本方法のオプションとしての第１ステップ３８１０において、ＵＥは、ホストコンピュータにより提供される入力データを受信する。追加的に又は代替的に、オプションとしての第２ステップ３６２０において、ＵＥがユーザデータを提供する。第２ステップ３６２０のオプションとしてのサブステップ３６２１において、ホストコンピュータは、ホストアプリケーションを実行することによりユーザデータを提供する。第１ステップ３８１０のさらなるオプションとしてのサブステップ３６１１において、ＵＥは、ホストコンピュータにより提供される入力データの受信へのリアクションにおいて、ユーザデータを提供するクライアントアプリケーションを実行する。ユーザデータの提供中に、実行されるクライアントアプリケーションは、ユーザから受け付けられるユーザ入力をさらに考慮してもよい。ユーザデータが提供された具体的なやり方に関わらず、ＵＥは、オプションとしての第３ステップ３６３０において、ホストコンピュータへのユーザデータの送信を開始する。本方法の第４ステップ３６４０において、ホストコンピュータは、本開示を通じて説明される実施形態の教示に従って、ＵＥから送信されるユーザデータを受信する。
【０１２１】
図２１は、１つの実施形態に従った、通信システムにおいて実装される方法を描いたフローチャートである。通信システムは、図１６及び図１７を参照しながら説明したものであり得る、ホストコンピュータ、基地局、及びＵＥを含む。本開示を簡明にするために、図２１の図への参照のみが本セクションに含められるであろう。オプションとしての第１ステップ３９１０において、本開示を通じて説明される実施形態の教示に従って、基地局は、ＵＥからのユーザデータを受信する。オプションとしての第２ステップ３９２０において、基地局は、受信したユーザデータのホストコンピュータへの送信を開始する。第３ステップ３９３０において、ホストコンピュータは、基地局により開始される上記送信において搬送されるユーザデータを受信する。
【０１２２】
＜例示的な実施形態＞
［１］トンネルエンドポイント識別子（ＴＥＩＤ）を割当てるための、ネットワークノードによる方法であって、
前記ネットワークノードの中央ユニットユーザプレーン（ＣＵ−ＵＰ）が接続されているのが前記ネットワークノードの複数の中央ユニット制御プレーン（ＣＵ−ＣＰ）か又は単一のＣＵ−ＣＰかを判定することと、
前記ＣＵ−ＵＰが前記複数のＣＵ−ＣＰへ接続されている場合に、前記ＣＵ−ＵＰにより前記ＴＥＩＤの割当てを管理することと、
前記ＣＵ−ＵＰが前記単一のＣＵ−ＣＰへ接続されている場合に、前記ＣＵ−ＣＰにより前記ＴＥＩＤの前記割当てを管理することと、
前記ＣＵ−ＵＰ又は前記ＣＵ−ＣＰにより割当てられた前記ＴＥＩＤを用いて、データベアラを確立することと、を含む方法。
【０１２３】
［２］実施形態１に記載の方法であって、
前記ＣＵ−ＵＰは、前記複数のＣＵ−ＣＰへ接続されており、前記ＴＥＩＤの前記割当ては、
アップリンクＴＥＩＤ（ＵＬ  ＴＥＩＤ）及びダウンリンクＴＥＩＤ（ＤＬ  ＴＥＩＤ）を順に交換すること、を含み、前記ＵＬ  ＴＥＩＤは、前記ＤＬ  ＴＥＩＤの前に交換される、方法。
【０１２４】
［３］実施形態２に記載の方法であって、
前記ＵＬ  ＴＥＩＤ及びＤＬ  ＴＥＩＤを順に交換することは、
前記ＣＵ−ＣＰにより、ＣＵ−ＵＰへベアラセットアップ要求を送信することと、
前記ＣＵ−ＣＰにより、ベアラごとのアップリンクＴＥＩＤ（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクＴＥＩＤ（ＤＬ  ＴＥＩＤ）を含むコンテキストセットアップ応答を前記ＤＵから受信することと、
前記ＣＵ−ＣＰにより、前記ＤＵから受信した通りのＤＲＢごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を含む、方法。
【０１２５】
［４］実施形態１に記載の方法であって、
前記ＣＵ−ＵＰは、前記複数のＣＵ−ＣＰへ接続されており、前記ＣＵ−ＵＰによる前記ＴＥＩＤの前記割当ては、
アップリンクＴＥＩＤ（ＵＬ  ＴＥＩＤ）及びダウンリンクＴＥＩＤ（ＤＬ  ＴＥＩＤ）を順に交換すること、を含み、前記ＤＬ  ＴＥＩＤは、前記ＵＬ  ＴＥＩＤの前に交換される、方法。
【０１２６】
［５］実施形態１に記載の方法であって、
前記ＣＵ−ＵＰは、前記複数のＣＵ−ＣＰへ接続されており、前記ＴＥＩＤの前記割当ては、
ＵＬ  ＴＥＩＤ及びＤＬ  ＴＥＩＤを並列で交換すること、を含む、方法。
【０１２７】
［６］実施形態５に記載の方法であって、
前記ＵＬ  ＴＥＩＤ及びＤＬ  ＴＥＩＤを並列で交換することは、
ＣＵ−ＣＰにより、ＣＵ−ＵＰへベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を含む、方法。
【０１２８】
［７］実施形態６に記載の方法であって、
前記ＣＵ−ＣＰは、ＵＥ向けのＲＲＣ再構成メッセージをも含むダウンリンク無線リソース制御（ＲＲＣ）メッセージを用いて、ベアラごとの前記ＵＬ  ＴＥＩＤを前記ＤＵへ送信する、方法。
【０１２９】
［８］実施形態６に記載の方法であって、
前記ＣＵ−ＣＰは、ニューコール１又はクラス２手続を用いて、ベアラごとの前記ＵＬ  ＴＥＩＤを前記ＤＵへ送信する、方法。
【０１３０】
［９］実施形態６及び８に記載の方法であって、
前記ＣＵ−ＣＰは、ニューコール１又はクラス２手続を用いて、前記ＤＬ  ＴＥＩＤを前記ＣＵ−ＵＰへ送信する、方法。
【０１３１】
［１０］実施形態１に記載の方法であって、
前記ＣＵ−ＵＰは、前記単一のＣＵ−ＣＰへ接続されており、前記ＣＵ−ＣＰによる前記ＴＥＩＤの前記割当ては、
ＵＬ  ＴＥＩＤ及びＤＬ  ＴＥＩＤを半静的に交換すること、を含む、方法。
【０１３２】
［１１］実施形態１０に記載の方法であって、
ＵＬ  ＴＥＩＤ及びＤＬ  ＴＥＩＤを半静的に交換することは、
前記ＣＵ−ＣＰにより、前記ＣＵ−ＵＰへセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を含む、方法。
【０１３３】
［１２］実施形態１１に記載の方法であって、
前記ＣＵ−ＣＰにより、ベアラごとに１つのＵＬ  ＴＥＩＤを割当てることは、
前記ＣＵ−ＣＰにより、ベアラごとの前記ＵＬ  ＴＥＩＤを含むＵＥコンテキストセットアップ要求を前記ＤＵへ送信することと、
前記ＣＵ−ＣＰにより、ベアラごとのＤＬ  ＴＥＩＤを含むＵＥコンテキストセットアップ応答を前記ＤＵから受信することと、を含む、方法。
【０１３４】
［１３］実施形態１１及び１２に記載の方法であって、
ＴＥＩＤの前記範囲は、Ｅ１インタフェース上の構成更新を用いて更新される、方法。
【０１３５】
［１４］実施形態１に記載の方法であって、
前記ＣＵ−ＵＰは、前記複数のＣＵ−ＣＰへ接続されており、前記ＣＵ−ＵＰによる前記ＴＥＩＤの前記割当ては、
試行錯誤アプローチを用いて、ＵＬ  ＴＥＩＤ及びＤＬ  ＴＥＩＤを割当てること、を含む、方法。
【０１３６】
［１５］実施形態１４の方法であって、
前記ＣＵ−ＣＰにより、他のＣＵ−ＣＰにより既に使用中のＴＥＩＤを選択することと、
前記ＣＵ−ＵＰにより、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを前記ＤＵへ送信することと、をさらに含む、方法。
【０１３７】
［１６］実施形態１５に記載の方法であって、
前記新たなＵＬ  ＴＥＩＤは、ＵＥコンテキスト修正手続を用いて、又はＵＥ向けのＲＲＣ構成メッセージをも含むダウンリンク無線リソース制御（ＤＬ  ＲＲＣ）メッセージトランスファを用いて、前記ＤＵへ送信される、方法。
【０１３８】
［１７］コンピュータ読取可能なプログラムコードを記憶する非一時的なコンピュータ読取可能な媒体を含むコンピュータプログラムプロダクトであって、前記コンピュータ読取可能なプログラムコードは、実施形態１〜１６に記載の方法のいずれかを実行するためのプログラムコードを含む、コンピュータプログラムプロダクト。
【０１３９】
［１８］ホストコンピュータ、基地局及びユーザ機器（ＵＥ）を含む通信システムにおいて実装される方法であって、
前記ホストコンピュータにおいて、ユーザデータを提供することと、
前記ホストコンピュータにおいて、前記基地局を含むセルラーネットワークを介して、前記ＵＥへの前記ユーザデータを搬送する送信を開始することと、を含み、前記基地局は、
前記ネットワークノードの中央ユニットユーザプレーン（ＣＵ−ＵＰ）が前記ネットワークノードの複数の中央ユニット制御プレーン（ＣＵ−ＣＰ）へ接続されている場合に、前記ＣＵ−ＵＰにより前記ＴＥＩＤの割当てを管理することと、
前記ＣＵ−ＵＰが単一のＣＵ−ＣＰへ接続されている場合に、前記ＣＵ−ＣＰにより前記ＴＥＩＤの前記割当てを管理することと、
前記ＣＵ−ＵＰ又は前記ＣＵ−ＣＰにより割当てられた前記ＴＥＩＤを用いて、データベアラを確立することと、を含む、方法。
【０１４０】
［１９］実施形態１８の方法であって、
前記基地局において、前記ユーザデータを送信すること、をさらに含む、方法。
【０１４１】
［２０］実施形態１９に記載の方法であって、
前記ユーザデータは、前記ホストコンピュータにおいてホストアプリケーションを実行することにより提供され、前記方法は、
前記ＵＥにおいて、前記ホストアプリケーションに関連付けられるクライアントアプリケーションを実行すること、をさらに含む、方法。
【０１４２】
［２１］ホストコンピュータ、基地局及びユーザ機器（ＵＥ）を含む通信システムにおいて実装される方法であって、
前記ホストコンピュータにおいて、前記基地局から、前記基地局が前記ＵＥから受信した送信信号に由来するユーザデータを受信すること、を含み、
前記ネットワークノードの中央ユニットユーザプレーン（ＣＵ−ＵＰ）が前記ネットワークノードの複数の中央ユニット制御プレーン（ＣＵ−ＣＰ）へ接続されている場合に、前記ＣＵ−ＵＰにより前記ＴＥＩＤの割当てを管理することと、
前記ＣＵ−ＵＰが単一のＣＵ−ＣＰへ接続されている場合に、前記ＣＵ−ＣＰにより前記ＴＥＩＤの前記割当てを管理することと、
前記ＣＵ−ＵＰ又は前記ＣＵ−ＣＰにより割当てられた前記ＴＥＩＤを用いて、データベアラを確立することと、を含む、方法。
【０１４３】
［２２］実施形態２１に記載の方法であって、
前記基地局において、前記ＵＥから前記ユーザデータを受信すること、をさらに含む、方法。
【０１４４】
［２３］実施形態２２に記載の方法であって、
前記基地局において、受信した前記ユーザデータの前記ホストコンピュータへの送信を開始すること、をさらに含む、方法。
【０１４５】
［２４］トンネルエンドポイント識別子（ＴＥＩＤ）を割当てるための、ネットワークノードであって、
命令群を記憶するように動作可能なメモリと、
処理回路と、を備え、前記処理回路は、前記命令群を実行して、前記ネットワークノードに、
前記ネットワークノードの中央ユニットユーザプレーン（ＣＵ−ＵＰ）が接続されているのが前記ネットワークノードの複数の中央ユニット制御プレーン（ＣＵ−ＣＰ）か又は単一のＣＵ−ＣＰかを判定することと、
前記ＣＵ−ＵＰが前記複数のＣＵ−ＣＰへ接続されている場合に、前記ＣＵ−ＵＰにより前記ＴＥＩＤの割当てを管理することと、
前記ＣＵ−ＵＰが前記単一のＣＵ−ＣＰへ接続されている場合に、前記ＣＵ−ＣＰにより前記ＴＥＩＤの前記割当てを管理することと、
前記ＣＵ−ＵＰ又は前記ＣＵ−ＣＰにより割当てられた前記ＴＥＩＤを用いて、データベアラを確立することと、を行わせるように動作可能である、ネットワークノード。
【０１４６】
［２５］実施形態２４に記載のネットワークノードであって、
前記ＣＵ−ＵＰは、前記複数のＣＵ−ＣＰへ接続されており、前記ＣＵ−ＵＰによる前記ＴＥＩＤの前記割当ては、
アップリンクＴＥＩＤ（ＵＬ  ＴＥＩＤ）及びダウンリンクＴＥＩＤ（ＤＬ  ＴＥＩＤ）を順に交換すること、を含み、前記ＵＬ  ＴＥＩＤは、前記ＤＬ  ＴＥＩＤの前に交換される、ネットワークノード。
【０１４７】
［２６］実施形態２５に記載のネットワークノードであって、
前記ＵＬ  ＴＥＩＤ及びＤＬ  ＴＥＩＤを順に交換する際に、前記処理回路は、前記命令群を実行して、前記ネットワークノードに、
前記ＣＵ−ＣＰにより、ＣＵ−ＵＰへベアラセットアップ要求を送信することと、
前記ＣＵ−ＣＰにより、ベアラごとのアップリンクＴＥＩＤ（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクＴＥＩＤ（ＤＬ  ＴＥＩＤ）を含むコンテキストセットアップ応答を前記ＤＵから受信することと、
前記ＣＵ−ＣＰにより、前記ＤＵから受信した通りのＤＲＢごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を行わせるように動作可能である、ネットワークノード。
【０１４８】
［２７］実施形態４に記載のネットワークノードであって、
前記ＣＵ−ＵＰは、前記複数のＣＵ−ＣＰへ接続されており、前記ＣＵ−ＵＰによる前記ＴＥＩＤの前記割当ては、
アップリンクＴＥＩＤ（ＵＬ  ＴＥＩＤ）及びダウンリンクＴＥＩＤ（ＤＬ  ＴＥＩＤ）を順に交換すること、を含み、前記ＤＬ  ＴＥＩＤは、前記ＵＬ  ＴＥＩＤの前に交換される、ネットワークノード。
【０１４９】
［２８］実施形態２４に記載の方法であって、
前記ＣＵ−ＵＰは、前記複数のＣＵ−ＣＰへ接続されており、前記ＴＥＩＤの前記割当ては、
ＵＬ  ＴＥＩＤ及びＤＬ  ＴＥＩＤを並列で交換すること、を含む、方法。
【０１５０】
［２９］実施形態２８に記載の方法であって、
前記ＵＬ  ＴＥＩＤ及びＤＬ  ＴＥＩＤを並列に交換する際に、前記処理回路は、前記命令群を実行して、前記ネットワークノードに、
ＣＵ−ＣＰにより、ＣＵ−ＵＰへベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を行わせるように動作可能である、ネットワークノード。
【０１５１】
［３０］実施形態２９に記載のネットワークノードであって、
前記ＣＵ−ＣＰは、ＵＥ向けのＲＲＣ再構成メッセージをも含むダウンリンク無線リソース制御（ＲＲＣ）メッセージを用いて、ベアラごとの前記ＵＬ  ＴＥＩＤを前記ＤＵへ送信する、ネットワークノード。
【０１５２】
［３１］実施形態２９に記載のネットワークノードであって、
前記ＣＵ−ＣＰは、ニューコール１又はクラス２手続を用いて、ベアラごとの前記ＵＬ  ＴＥＩＤを前記ＤＵへ送信する、ネットワークノード。
【０１５３】
［３２］実施形態２９及び３１に記載のネットワークノードであって、
前記ＣＵ−ＣＰは、ニューコール１又はクラス２手続を用いて、前記ＤＬ  ＴＥＩＤを前記ＣＵ−ＵＰへ送信する、ネットワークノード。
【０１５４】
［３３］実施形態２４に記載のネットワークノードであって、
前記ＣＵ−ＵＰは、前記単一のＣＵ−ＣＰへ接続されており、前記ＣＵ−ＣＰによる前記ＴＥＩＤの前記割当ては、
ＵＬ  ＴＥＩＤ及びＤＬ  ＴＥＩＤを半静的に交換すること、を含む、ネットワークノード。
【０１５５】
［３４］実施形態３３に記載のネットワークノードであって、
前記ＵＬ  ＴＥＩＤ及びＤＬ  ＴＥＩＤを半静的に交換する際に、前記処理回路は、前記命令群を実行して、前記ネットワークノードに、
前記ＣＵ−ＣＰにより、前記ＣＵ−ＵＰへセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を行わせるように動作可能である、ネットワークノード。
【０１５６】
［３５］実施形態３４に記載のネットワークノードであって、
前記ＣＵ−ＣＰによりベアラごとに１つのＵＬ  ＴＥＩＤを割当てる際に、前記処理回路は、前記命令群を実行して、前記ネットワークノードに、
前記ＣＵ−ＣＰにより、ベアラごとの前記ＵＬ  ＴＥＩＤを含むＵＥコンテキストセットアップ要求を前記ＤＵへ送信することと、
前記ＣＵ−ＣＰにより、ベアラごとのＤＬ  ＴＥＩＤを含むＵＥコンテキストセットアップ応答を前記ＤＵから受信することと、を行わせるように動作可能である、ネットワークノード。
【０１５７】
［３６］実施形態３５に記載のネットワークノードであって、
ＴＥＩＤの前記範囲は、Ｅ１インタフェース上の構成更新を用いて更新される、ネットワークノード。
【０１５８】
［３７］実施形態２４に記載のネットワークノードであって、
前記ＣＵ−ＵＰは、前記複数のＣＵ−ＣＰへ接続されており、前記ＣＵ−ＵＰによる前記ＴＥＩＤの前記割当ては、
試行錯誤アプローチを用いて、ＵＬ  ＴＥＩＤ及びＤＬ  ＴＥＩＤを割当てること、を含む、ネットワークノード。
【０１５９】
［３８］実施形態３７に記載のネットワークノードであって、
前記処理回路は、前記命令群を実行して、前記ネットワークノードに、
前記ＣＵ−ＣＰにより、他のＣＵ−ＣＰにより既に使用中のＴＥＩＤを選択することと、
前記ＣＵ−ＵＰにより、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを前記ＤＵへ送信することと、を行わせるように動作可能である、ネットワークノード。
【０１６０】
［３９］実施形態３８に記載のネットワークノードであって、
前記新たなＵＬ  ＴＥＩＤは、ＵＥコンテキスト修正手続を用いて、又はＵＥ向けのＲＲＣ構成メッセージをも含むダウンリンク無線リソース制御（ＤＬ  ＲＲＣ）メッセージトランスファを用いて、前記ＤＵへ送信される、ネットワークノード。
【０１６１】
［４０］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニットユーザプレーン（ＣＵ−ＵＰ）が複数の中央ユニット制御プレーン（ＣＵ−ＣＰ）へ接続されている場合に、前記ＣＵ−ＵＰにより前記ＴＥＩＤの割当てを管理することと、
前記ＣＵ−ＵＰが単一のＣＵ−ＣＰへ接続されている場合に、前記ＣＵ−ＣＰにより前記ＴＥＩＤの前記割当てを管理することと、
前記ＣＵ−ＵＰ又は前記ＣＵ−ＣＰにより割当てられた前記ＴＥＩＤを用いて、データベアラを確立することと、を行うように構成される、ネットワークノード。
【０１６２】
［４１］実施形態４０に記載の通信システムであって、前記基地局をさらに含む、通信システム。
【０１６３】
［４２］実施形態４１に記載の通信システムであって、前記基地局と通信するように構成される前記ＵＥをさらに含む、通信システム。
【０１６４】
［４３］実施形態４２に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０１６５】
［４４］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニットユーザプレーン（ＣＵ−ＵＰ）が複数の中央ユニット制御プレーン（ＣＵ−ＣＰ）へ接続されている場合に、前記ＣＵ−ＵＰにより前記ＴＥＩＤの割当てを管理することと、
前記ＣＵ−ＵＰが単一のＣＵ−ＣＰへ接続されている場合に、前記ＣＵ−ＣＰにより前記ＴＥＩＤの前記割当てを管理することと、
前記ＣＵ−ＵＰ又は前記ＣＵ−ＣＰにより割当てられた前記ＴＥＩＤを用いて、データベアラを確立することと、を行うように構成される、通信システム。
【０１６６】
［４５］実施形態４４に記載の通信システムであって、前記基地局をさらに含む、通信システム。
【０１６７】
［４６］実施形態４５に記載の通信システムであって、前記基地局と通信するように構成される前記ＵＥをさらに含む、通信システム。
【０１６８】
［４７］実施形態４６に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０１６９】
［４８］トンネルエンドポイント識別子（ＴＥＩＤ）を割当てるための、ネットワークノードによる方法であって、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信した通りのベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を含む、方法。
【０１７０】
［４９］ホストコンピュータ、基地局及びユーザ機器（ＵＥ）を含む通信システムにおいて実装される方法であって、
前記ホストコンピュータにおいて、ユーザデータを提供することと、
前記ホストコンピュータにおいて、前記基地局を含むセルラーネットワークを介して、前記ＵＥへの前記ユーザデータを搬送する送信を開始することと、を含み、前記基地局は、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信した通りのベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を含む方法。
【０１７１】
［５０］実施形態４８に記載の方法であって、
前記基地局において、前記ユーザデータを送信すること、をさらに含む、方法。
【０１７２】
［５１］実施形態５０に記載の方法であって、
前記ユーザデータは、前記ホストコンピュータにおいてホストアプリケーションを実行することにより提供され、前記方法は、
前記ＵＥにおいて、前記ホストアプリケーションに関連付けられるクライアントアプリケーションを実行すること、をさらに含む、方法。
【０１７３】
［５２］ホストコンピュータ、基地局及びユーザ機器（ＵＥ）を含む通信システムにおいて実装される方法であって、
前記ホストコンピュータにおいて、前記基地局から、前記基地局が前記ＵＥから受信した送信信号に由来するユーザデータを受信すること、を含み、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信した通りのベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を含む方法。
【０１７４】
［５３］実施形態５２に記載の方法であって、
前記基地局において、前記ＵＥから前記ユーザデータを受信すること、をさらに含む、方法。
【０１７５】
［５４］実施形態５３に記載の方法であって、
前記基地局において、受信した前記ユーザデータの前記ホストコンピュータへの送信を開始すること、をさらに含む、方法。
【０１７６】
［５５］トンネルエンドポイント識別子を割当てるための、ネットワークノードであって、
命令群を記憶するように動作可能なメモリと、
処理回路と、を備え、前記処理回路は、前記命令群を実行して、前記ネットワークノードに、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信した通りのベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を行わせるように動作可能である、ネットワークノード。
【０１７７】
［５６］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクトンネルエンドポイント識別子（ＤＬ  ＴＥＩＤ）を含むコンテキストセットアップ応答を受信することと、
前記ＣＵ−ＣＰにより、前記ＤＵから受信した通りのベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を行うように構成される、ネットワークノード。
【０１７８】
［５７］実施形態５６に記載の通信システムであって、前記基地局をさらに含む、通信システム。
【０１７９】
［５８］実施形態５７に記載の通信システムであって、前記基地局と通信するように構成される前記ＵＥをさらに含む、通信システム。
【０１８０】
［５９］実施形態５８に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０１８１】
［６０］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記ＵＬ  ＴＥＩＤを含むコンテキストセットアップ要求をＤＵへ送信することと、
前記ＣＵ−ＣＰにより、ベアラごとのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信した通りのベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を行うように構成される、通信システム。
【０１８２】
［６１］実施形態６０に記載の通信システムであって、前記基地局をさらに含む、通信システム。
【０１８３】
［６２］実施形態６１に記載の通信システムであって、前記基地局と通信するように構成される前記ＵＥをさらに含む、通信システム。
【０１８４】
［６３］実施形態６２に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０１８５】
［６４］トンネルエンドポイント識別子（ＴＥＩＤ）を割当てるための、ネットワークノードによる方法であって、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を含む、方法。
【０１８６】
［６５］実施形態６４に記載の方法であって、前記ＣＵ−ＣＰは、ＵＥ向けのＲＲＣ再構成メッセージをも含むダウンリンク無線リソース制御（ＲＲＣ）メッセージを用いて、ベアラごとの前記ＵＬ  ＴＥＩＤを前記ＤＵへ送信する、方法。
【０１８７】
［６６］実施形態６５に記載の方法であって、前記ＣＵ−ＣＰは、ニューコール１又はクラス２手続を用いて、ベアラごとの前記ＵＬ  ＴＥＩＤを前記ＤＵへ送信する、方法。
【０１８８】
［６７］実施形態６４及び６６に記載の方法であって、前記ＣＵ−ＣＰは、ニューコール１又はクラス２手続を用いて、前記ＤＬ  ＴＥＩＤを前記ＣＵ−ＵＰへ送信する、方法。
【０１８９】
［６８］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を行うように構成される、通信システム。
【０１９０】
［６９］実施形態６８に記載の通信システムであって、前記基地局をさらに含む、通信システム。
【０１９１】
［７０］実施形態６９に記載の通信システムであって、前記基地局と通信するように構成される前記ＵＥをさらに含む、通信システム。
【０１９２】
［７１］実施形態７０に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０１９３】
［７２］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を行うように構成される、通信システム。
【０１９４】
［７３］実施形態７２に記載の通信システムであって、前記基地局をさらに含む、通信システム。
【０１９５】
［７４］実施形態７３に記載の通信システムであって、前記基地局と通信するように構成される前記ＵＥをさらに含む、通信システム。
【０１９６】
［７５］実施形態７４に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０１９７】
［７６］トンネルエンドポイント識別子を割当てるための、ネットワークノードであって、
命令群を記憶するように動作可能なメモリと、
処理回路と、を備え、前記処理回路は、前記命令群を実行して、前記ネットワークノードに、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を行わせるように動作可能である、ネットワークノード。
【０１９８】
［７７］実施形態７６に記載のネットワークノードであって、前記ＣＵ−ＣＰは、ＵＥ向けのＲＲＣ再構成メッセージをも含むダウンリンク無線リソース制御（ＲＲＣ）メッセージを用いて、ベアラごとの前記ＵＬ  ＴＥＩＤを前記ＤＵへ送信する、ネットワークノード。
【０１９９】
［７８］実施形態７７に記載のネットワークノードであって、前記ＣＵ−ＣＰは、ニューコール１又はクラス２手続を用いて、ベアラごとの前記ＵＬ  ＴＥＩＤを前記ＤＵへ送信する、ネットワークノード。
【０２００】
［７９］実施形態７６及び７７に記載のネットワークノードであって、前記ＣＵ−ＣＰは、ニューコール１又はクラス２手続を用いて、前記ＤＬ  ＴＥＩＤを前記ＣＵ−ＵＰへ送信する、ネットワークノード。
【０２０１】
［８０］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を行わせるように動作可能である、通信システム。
【０２０２】
［８１］実施形態８０に記載の通信システムであって、前記基地局をさらに含む、通信システム。
【０２０３】
［８２］実施形態８１に記載の通信システムであって、前記基地局と通信するように構成される前記ＵＥをさらに含む、通信システム。
【０２０４】
［８３］実施形態８２に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０２０５】
［８４］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニット制御プレーン（ＣＵ−ＣＰ）により、中央ユニットユーザプレーン（ＣＵ−ＵＰ）へベアラセットアップ要求を送信することと、
前記ＣＵ−ＣＰにより、ベアラごとのＵＬ  ＴＥＩＤを含むベアラセットアップ応答を受信することと、
前記ＣＵ−ＣＰにより、ＤＵへＵＥコンテキストセットアップ要求を送信することと、
前記ＣＵ−ＣＰにより、ベアラごとのＤＬ  ＴＥＩＤを含むＵＥコンテキストセットアップ応答を前記ＤＵから受信することと、
前記ＣＵ−ＣＰにより、前記ＤＵから受信されたベアラごとの前記ＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、
前記ＣＵ−ＣＰにより、ベアラごとの前記ＵＬ  ＴＥＩＤを含むＵＥコンテキスト修正要求を前記ＤＵへ送信することと、
前記ＣＵ−ＣＰにより、ＵＥコンテキスト修正応答を前記ＤＵから受信することと、を行うように構成される、通信システム。
【０２０６】
［８５］実施形態８４に記載の通信システムであって、前記基地局をさらに含む、通信システム。
【０２０７】
［８６］実施形態８５に記載の通信システムであって、前記基地局と通信するように構成される前記ＵＥをさらに含む、通信システム。
【０２０８】
［８７］実施形態８６に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０２０９】
［８８］トンネルエンドポイント識別子（ＴＥＩＤ）を割当てるための、ネットワークノードによる方法であって、
前記ネットワークノードの中央ユニット制御プレーン（ＣＵ−ＣＰ）により、前記ネットワークノードの中央ユニットユーザプレーン（ＣＵ−ＵＰ）へセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を含む、方法。
【０２１０】
［８９］実施形態８８に記載の方法であって、
前記ＣＵ−ＣＰにより、ベアラごとに１つのＵＬ  ＴＥＩＤを割当てることは、
前記ＣＵ−ＣＰにより、ベアラごとの前記ＵＬ  ＴＥＩＤを含むＵＥコンテキストセットアップ要求を前記ＤＵへ送信することと、
前記ＣＵ−ＣＰにより、ベアラごとのＤＬ  ＴＥＩＤを含むＵＥコンテキストセットアップ応答を前記ＤＵから受信することと、を含む方法。
【０２１１】
［９０］実施形態８８及び８９に記載の方法であって、ＴＥＩＤの前記範囲は、Ｅ１インタフェース上の構成更新を用いて更新される、方法。
【０２１２】
［９１］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニット制御プレーン（ＣＵ−ＣＰ）により、中央ユニットユーザプレーン（ＣＵ−ＵＰ）へセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を行うように構成される、通信システム。
【０２１３】
［９２］実施形態９１に記載の通信システムであって、前記基地局をさらに含む、通信システム。
【０２１４】
［９３］実施形態９２に記載の通信システムであって、前記基地局と通信するように構成される前記ＵＥをさらに含む、通信システム。
【０２１５】
［９４］実施形態９３に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０２１６】
［９５］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニット制御プレーン（ＣＵ−ＣＰ）により、中央ユニットユーザプレーン（ＣＵ−ＵＰ）へセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を行うように構成される、通信システム。
【０２１７】
［９６］実施形態９５に記載の通信システムであって、前記基地局をさらに含む、通信システム。
【０２１８】
［９７］実施形態９６に記載の通信システムであって、前記基地局と通信するように構成される前記ＵＥをさらに含む、通信システム。
【０２１９】
［９８］実施形態９７に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０２２０】
［９９］トンネルエンドポイント識別子を割当てるための、ネットワークノードであって、
命令群を記憶するように動作可能なメモリと、
処理回路と、を備え、前記処理回路は、前記命令群を実行して、前記ネットワークノードに、
前記ネットワークノードの中央ユニット制御プレーン（ＣＵ−ＣＰ）により、前記ネットワークノードの中央ユニットユーザプレーン（ＣＵ−ＵＰ）へセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を行わせるように動作可能である、ネットワークノード。
【０２２１】
［１００］実施形態９９に記載のネットワークノードであって、
前記ＣＵ−ＣＰにより、ベアラごとに１つのＵＬ  ＴＥＩＤを割当てることは、
前記ＣＵ−ＣＰにより、ベアラごとの前記ＵＬ  ＴＥＩＤを含むＵＥコンテキストセットアップ要求を前記ＤＵへ送信することと、
前記ＣＵ−ＣＰにより、ベアラごとのＤＬ  ＴＥＩＤを含むＵＥコンテキストセットアップ応答を前記ＤＵから受信することと、を含むネットワークノード。
【０２２２】
［１０１］実施形態９９及び１００に記載のネットワークノードであって、ＴＥＩＤの前記範囲は、Ｅ１インタフェース上の構成更新を用いて更新される、ネットワークノード。
【０２２３】
［１０２］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニット制御プレーン（ＣＵ−ＣＰ）により、中央ユニットユーザプレーン（ＣＵ−ＵＰ）へセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を行うように構成される、通信システム。
【０２２４】
［１０３］実施形態１０２に記載の通信システムであって、前記基地局をさらに含む、通信システム。
【０２２５】
［１０４］実施形態１０３に記載の通信システムであって、前記基地局と通信するように構成される前記ＵＥをさらに含む、通信システム。
【０２２６】
［１０５］実施形態１０４に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０２２７】
［１０６］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニット制御プレーン（ＣＵ−ＣＰ）により、中央ユニットユーザプレーン（ＣＵ−ＵＰ）へセットアップ要求を送信することと、
前記ＣＵ−ＣＰにより確立されるベアラのために予約されたアップリンクＴＥＩＤ（ＵＬ  ＴＥＩＤ）の範囲を含むセットアップ応答を、前記ＣＵ−ＣＰにより前記ＣＵ−ＵＰから受信することと、
前記ＣＵ−ＣＰにより、ベアラごとに１つのＵＬ  ＴＥＩＤを割当てることと、
前記ＣＵ−ＣＰにより、確立された各ベアラについての前記ＤＬ及びＵＬのＴＥＩＤを含むベアラセットアップ要求を前記ＣＵ−ＵＰへ送信することと、
前記ＣＵ−ＣＰにより、前記ＣＵ−ＵＰからベアラ修正応答を受信することと、を行うように構成される、通信システム。
【０２２８】
［１０７］実施形態１０６に記載の通信システムであって、前記基地局をさらに含む、通信システム。
【０２２９】
［１０８］実施形態１０７に記載の通信システムであって、前記基地局と通信するように構成される前記ＵＥをさらに含む、通信システム。
【０２３０】
［１０９］実施形態１０８に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０２３１】
［１１０］トンネルエンドポイント識別子（ＴＥＩＤ）を割当てるための、ネットワークノードによる方法であって、
前記ネットワークノードの中央ユニット制御プレーン（ＣＵ−ＣＰ）により、他のＣＵ−ＣＰにより既に使用中のＴＥＩＤを選択することと、
前記ネットワークノードの中央ユニットユーザプレーン（ＣＵ−ＵＰ）により、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを分散ユニット（ＤＵ）へ送信することと、を含む方法。
【０２３２】
［１１１］実施形態１１０に記載の方法であって、前記新たなＵＬ  ＴＥＩＤは、ＵＥコンテキスト修正手続を用いて、又はＵＥ向けのＲＲＣ構成メッセージをも含むダウンリンク無線リソース制御（ＤＬ  ＲＲＣ）メッセージトランスファを用いて、前記分散ユニット（ＤＵ）へ送信される、方法。
【０２３３】
［１１２］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニット制御プレーン（ＣＵ−ＣＰ）により、他のＣＵ−ＣＰにより既に使用中のＴＥＩＤを選択することと、
中央ユニットユーザプレーン（ＣＵ−ＵＰ）により、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを分散ユニット（ＤＵ）へ送信することと、を行うように構成される、通信システム。
【０２３４】
［１１３］実施形態１１２に記載の通信システムであって、前記基地局をさらに含む、通信システム。
【０２３５】
［１１４］実施形態１１３に記載の通信システムであって、前記基地局と通信するように構成される前記ＵＥをさらに含む、通信システム。
【０２３６】
［１１５］実施形態１１４に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０２３７】
［１１６］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニット制御プレーン（ＣＵ−ＣＰ）により、他のＣＵ−ＣＰにより既に使用中のＴＥＩＤを選択することと、
中央ユニットユーザプレーン（ＣＵ−ＵＰ）により、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを分散ユニット（ＤＵ）へ送信することと、を行うように構成される、通信システム。
【０２３８】
［１１７］実施形態１１６に記載の通信システムであって、前記基地局をさらに含む、通信システム。
【０２３９】
［１１８］実施形態１１７に記載の通信システムであって、前記基地局と通信するように構成される前記ＵＥをさらに含む、通信システム。
【０２４０】
［１１９］実施形態１１８に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０２４１】
［１２０］トンネルエンドポイント識別子を割当てるための、ネットワークノードであって、
命令群を記憶するように動作可能なメモリと、
処理回路と、を備え、前記処理回路は、前記命令群を実行して、前記ネットワークノードに、
前記ネットワークノードの中央ユニット制御プレーン（ＣＵ−ＣＰ）により、他のＣＵ−ＣＰにより既に使用中のＴＥＩＤを選択することと、
前記ネットワークノードの中央ユニットユーザプレーン（ＣＵ−ＵＰ）により、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを分散ユニット（ＤＵ）へ送信することと、を行わせるように動作可能である、通信システム。
【０２４２】
［１２１］実施形態１２０に記載の方法であって、前記新たなＵＬ  ＴＥＩＤは、ＵＥコンテキスト修正手続を用いて、又はＵＥ向けのＲＲＣ構成メッセージをも含むダウンリンク無線リソース制御（ＤＬ  ＲＲＣ）メッセージトランスファを用いて、前記分散ユニット（ＤＵ）へ送信される、方法。
【０２４３】
［１２２］ホストコンピュータを含む通信システムであって、前記ホストコンピュータは、
ユーザデータを提供するように構成される処理回路と、
前記ユーザデータをユーザ機器（ＵＥ）への送信のためにセルラーネットワークへ転送するように構成される通信インタフェースと、を備え、
前記セルラーネットワークは、無線インタフェース及び処理回路を有する基地局を含み、前記基地局の処理回路は、
中央ユニット制御プレーン（ＣＵ−ＣＰ）により、他のＣＵ−ＣＰにより既に使用中のＴＥＩＤを選択することと、
中央ユニットユーザプレーン（ＣＵ−ＵＰ）により、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを分散ユニット（ＤＵ）へ送信することと、を行うように構成される、通信システム。
【０２４４】
［１２３］実施形態１２２に記載の通信システムであって、前記基地局をさらに含む、通信システム。
【０２４５】
［１２４］実施形態１２３に記載の通信システムであって、前記基地局と通信するように構成される前記ＵＥをさらに含む、通信システム。
【０２４６】
［１２５］実施形態１２４に記載の通信システムであって、
前記ホストコンピュータの前記処理回路は、ホストアプリケーションを実行することにより前記ユーザデータを提供するように構成され、
前記ＵＥは、前記ホストアプリケーションに関連付けられるクライアントアプリケーションを実行するように構成される処理回路を備える、通信システム。
【０２４７】
［１２６］ホストコンピュータを含む通信システムであって、前記ホストコンピュータは、ユーザ機器（ＵＥ）から基地局への送信に由来するユーザデータを受信するように構成される通信インタフェース、を備え、前記基地局は、無線インタフェース及び処理回路を備え、前記基地局の処理回路は、
中央ユニット制御プレーン（ＣＵ−ＣＰ）により、他のＣＵ−ＣＰにより既に使用中のＴＥＩＤを選択することと、
中央ユニットユーザプレーン（ＣＵ−ＵＰ）により、新たなＵＬ  ＴＥＩＤを割当てることにより、競合を解消することと、
前記ＣＵ−ＵＰにより、前記ＣＵ−ＣＰへ前記新たなＵＬ  ＴＥＩＤを送信することと、
前記ＣＵ−ＣＰにより、前記新たなＵＬ  ＴＥＩＤを分散ユニット（ＤＵ）へ送信することと、を行うように構成される、通信システム。
【０２４８】
［１２７］実施形態１２６に記載の通信システムであって、前記基地局をさらに含む、通信システム。
【０２４９】
［１２８］実施形態１２７に記載の通信システムであって、前記基地局と通信するように構成される前記ＵＥをさらに含む、通信システム。
【０２５０】
［１２９］実施形態１２８に記載の通信システムであって、
前記ホストコンピュータの前記処理回路は、ホストアプリケーションを実行するように構成され、
前記ＵＥは、前記ホストアプリケーションに関連付けられるクライアントアプリケーションを実行することにより前記ホストコンピュータにより受信されるべき前記ユーザデータを提供するように構成される、通信システム。
【０２５１】
本開示の範囲から逸脱することなく、ここで説明したシステム及び装置に対し修正、追加又は省略がなされてよい。システム及び装置のコンポーネントは、集積されてもよく、又は分離されてもよい。そのうえ、システム及び装置の動作は、より多くの、より少ない、又は他のコンポーネントにより実行されてもよい。追加的に、システム及び装置の動作は、ソフトウェア、ハードウェア及び／又は他のロジックを含む任意の適したロジックを用いて実行されてよい。本文書において使用されているところでは、“各”は、集合の各メンバ又は集合のサブセットの各メンバへの言及である。
【０２５２】
本開示の範囲から逸脱することなく、ここで説明した方法に対し修正、追加又は省略がなされてよい。方法は、より多くの、より少ない、又は他のステップを含んでもよい。追加的に、ステップはいかなる適した順序で実行されてもよい。
【０２５３】
ある実施形態の観点で本開示を説明したものの、それら実施形態の変形及び置換えが当業者には明らかであろう。したがって、それら実施形態の上の説明は、本開示を制約しない。本開示の思想及び範囲から逸脱することなく、他の変更、代用及び変形が可能である。
【図１】
2021503772.tif 000003
【図２】
2021503772.tif 000004
【図３】
2021503772.tif 000005
【図４】
2021503772.tif 000006
【図５】
2021503772.tif 000007
【図６】
2021503772.tif 000008
【図７】
2021503772.tif 000009
【図８】
2021503772.tif 000010
【図９】
2021503772.tif 000011
【図１０】
2021503772.tif 000012
【図１１】
2021503772.tif 000013
【図１２】
2021503772.tif 000014
【図１３】
2021503772.tif 000015
【図１４】
2021503772.tif 000016
【図１５】
2021503772.tif 000017
【図１６】
2021503772.tif 000018
【図１７】
2021503772.tif 000019
【図１８】
2021503772.tif 000020
【図１９】
2021503772.tif 000021
【図２０】
2021503772.tif 000022
【図２１】
2021503772.tif 000023
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
ネットワークノードの中央ユニット制御プレーン（ＣＵ−ＣＰ）によりトンネルエンドポイント識別子（ＴＥＩＤ）を割当てるための方法であって、
中央ユニットユーザプレーン（ＣＵ−ＵＰ）から、データ無線ベアラ（ＤＲＢ）に関連付けられる少なくとも１つのアップリンクＴＥＩＤ（ＵＬ  ＴＥＩＤ）を受信することと、
分散ユニット（ＤＵ）へ、前記ＤＲＢに関連付けられる前記少なくとも１つのＵＬ  ＴＥＩＤを送信することと、
前記ＤＵから、前記ＤＲＢに関連付けれられる少なくとも１つのダウンリンクＴＥＩＤ（ＤＬ  ＴＥＩＤ）を受信することと、
前記ＣＵ−ＵＰへ、前記ＤＲＢに関連付けられる前記少なくとも１つのＤＬ  ＴＥＩＤを送信することと、を含む方法。
【請求項２】
請求項１に記載の方法であって、
前記少なくとも１つのＵＬ  ＴＥＩＤ及び前記少なくとも１つのＤＬ  ＴＥＩＤは順に交換され、前記少なくとも１つのＤＬ  ＴＥＩＤが前記ＤＵから受信され前記ＣＵ−ＵＰへ送信される前に、前記少なくとも１つのＵＬ  ＴＥＩＤが前記ＣＵ−ＵＰから受信され前記ＤＵへ送信される、方法。
【請求項３】
請求項２に記載の方法であって、
前記ＣＵ−ＣＰにより、前記ＣＵ−ＵＰへベアラセットアップ要求を送信すること、をさらに含み、
前記ＤＲＢに関連付けられる前記少なくとも１つのＵＬ  ＴＥＩＤは、ベアラセットアップ応答において前記ＣＵ−ＵＰから受信される、方法。
【請求項４】
請求項２〜３のいずれか１項に記載の方法であって、
前記ＤＲＢに関連付けられる前記少なくとも１つのＵＬ  ＴＥＩＤは、コンテキストセットアップ要求において前記ＤＵへ送信され、
前記ＤＲＢに関連付けられる前記少なくとも１つのＤＬ  ＴＥＩＤは、コンテキストセットアップ応答において前記ＤＵから受信される、方法。
【請求項５】
請求項２〜４のいずれか１項に記載の方法であって、
前記ＤＵから受信されるものとしての前記ＤＲＢに関連付けられる前記少なくとも１つのＤＬ  ＴＥＩＤは、ベアラ修正要求として前記ＣＵ−ＵＰへ送信され、
前記方法は、前記ＣＵ−ＣＰにより、前記ＣＵ−ＵＰからベアラ修正応答を受信すること、をさらに含む、方法。
【請求項６】
請求項１に記載の方法であって、前記少なくとも１つのＵＬ  ＴＥＩＤ及び前記少なくとも１つのＤＬ  ＴＥＩＤは、順に交換され、前記少なくとも１つのＵＬ  ＴＥＩＤが前記ＣＵ−ＵＰから受信され前記ＤＵへ送信される前に、前記少なくとも１つのＤＬ  ＴＥＩＤが前記ＤＵから受信され前記ＣＵ−ＵＰへ送信される、方法。
【請求項７】
請求項６に記載の方法であって、前記ＣＵ−ＵＰから、前記ＤＲＢに関連付けられる前記少なくとも１つのＵＬ  ＴＥＩＤを受信することに先立って、前記方法は、
前記ＤＵへ、コンテキストセットアップ要求において前記ＤＲＢに関連付けられる一時的なＵＬ  ＴＥＩＤを送信すること、を含み、
前記ＤＲＢに関連付けられる前記少なくとも１つのＤＬ  ＴＥＩＤは、コンテキストセットアップ応答として前記ＤＵから受信され、
前記ＤＲＢに関連付けられる前記少なくとも１つのＤＬ  ＴＥＩＤは、ベアラセットアップ要求において前記ＣＵ−ＵＰへ送信され、
前記ＤＲＢに関連付けられる前記少なくとも１つのＵＬ  ＴＥＩＤは、ベアラセットアップ応答において前記ＣＵ−ＵＰから受信される、方法。
【請求項８】
請求項１に記載の方法であって、前記ＤＲＢに関連付けられる前記少なくとも１つのＵＬ  ＴＥＩＤ及び前記ＤＲＢに関連付けられる前記少なくとも１つのＤＬ  ＴＥＩＤは、並列で交換される、方法。
【請求項９】
請求項８に記載の方法であって、
前記少なくとも１つのＵＬ  ＴＥＩＤ及び前記少なくとも１つのＤＬ  ＴＥＩＤを並列で交換することは、
前記ＣＵ−ＣＰにより、前記ＣＵ−ＵＰへベアラセットアップ要求を送信することと、
前記ＣＵ−ＣＰにより、前記ＤＵへＵＥコンテキストセットアップ要求を送信することと、を含み、
前記ＤＲＢに関連付けられる前記少なくとも１つのＵＬ  ＴＥＩＤは、ベアラセットアップ応答において前記ＣＵ−ＵＰから受信され、
前記ＤＲＢに関連付けられる前記少なくとも１つのＤＬ  ＴＥＩＤは、コンテキストセットアップ応答において前記ＤＵから受信され、
前記ＤＲＢに関連付けられる前記少なくとも１つのＤＬ  ＴＥＩＤは、ベアラ修正要求において前記ＣＵ−ＵＰへ送信され、
前記ＤＲＢに関連付けられる前記少なくとも１つのＵＬ  ＴＥＩＤは、ＵＥコンテキスト修正要求において前記ＤＵへ送信される、方法。
【請求項１０】
請求項１〜９のいずれか１項に記載の方法であって、
前記少なくとも１つのＵＬ  ＴＥＩＤは、複数のＵＬ  ＴＥＩＤを含み、前記複数のＵＬ  ＴＥＩＤの各々は、複数のＤＲＢのうちのそれぞれ１つに関連付けられ、
前記少なくとも１つのＤＬ  ＴＥＩＤは、複数のＤＬ  ＴＥＩＤを含み、前記複数のＤＬ  ＴＥＩＤの各々は、前記複数のＤＲＢのうちのそれぞれ１つに関連付けられる、方法。
【請求項１１】
コンピュータ読取可能なプログラムコードを含むコンピュータプログラムであって、前記コンピュータ読取可能なプログラムコードは、請求項１〜１０に記載の方法のいずれかを実行するためのプログラムコードを含む、コンピュータプログラム。
【請求項１２】
トンネルエンドポイント識別子（ＴＥＩＤ）を割当てるためのネットワークノードの中央ユニット制御プレーン（ＣＵ−ＣＰ）であって、
命令群を記憶するように動作可能なメモリと、
処理回路と、を備え、前記処理回路は、前記命令群を実行して、前記ネットワークノードに、
中央ユニットユーザプレーン（ＣＵ−ＵＰ）から、データ無線ベアラ（ＤＲＢ）に関連付けられる少なくとも１つのアップリンクＴＥＩＤ（ＵＬ  ＴＥＩＤ）を受信することと、
分散ユニット（ＤＵ）へ、前記ＤＲＢに関連付けられる前記ＵＬ  ＴＥＩＤを送信することと、
前記ＤＵから、前記ＤＲＢに関連付けれられる少なくとも１つのダウンリンクＴＥＩＤ（ＤＬ  ＴＥＩＤ）を受信することと、
前記ＣＵ−ＵＰへ、前記ＤＲＢに関連付けられる前記少なくとも１つのＤＬ  ＴＥＩＤを送信することと、を行わせるように動作可能である、前記ネットワークノードのＣＵ−ＣＰ。
【請求項１３】
請求項１２に記載のＣＵ−ＣＰであって、請求項２〜１０に記載の方法のいずれかを実行するようにさらに構成される、ＣＵ−ＣＰ。
【請求項１４】
トンネルエンドポイント識別子（ＴＥＩＤ）を割当てるための、ネットワークノードによる方法であって、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとの少なくとも１つのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記少なくとも１つのＵＬ  ＴＥＩＤを含むコンテキストセットアップ要求をＤＵへ送信することと、
前記ＣＵ−ＣＰにより、ベアラごとの少なくとも１つのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信されたものとしてのベアラごとの前記少なくとも１つの１つのＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を含む方法。
【請求項１５】
トンネルエンドポイント識別子を割当てるための、ネットワークノードであって、
命令群を記憶するように動作可能なメモリと、
処理回路と、を備え、前記処理回路は、前記命令群を実行して、前記ネットワークノードに、
前記ネットワークノードの中央ユニット制御プレーン（ＣＵ−ＣＰ）により、前記ネットワークノードの中央ユニットユーザプレーン（ＣＵ−ＵＰ）へベアラセットアップ要求を送信することと、
前記ＣＵ−ＣＰにより、ベアラごとの少なくとも１つのアップリンクトンネルエンドポイント識別子（ＵＬ  ＴＥＩＤ）を含むベアラセットアップ応答を前記ＣＵ−ＵＰから受信することと、
前記ＣＵ−ＣＰにより、ベアラごとの前記少なくとも１つのＵＬ  ＴＥＩＤを含むコンテキストセットアップ要求をＤＵへ送信することと、
前記ＣＵ−ＣＰにより、ベアラごとの少なくとも１つのダウンリンクトンネルエンドポイント識別子（ＤＬ  ＴＥＩＤ）を含むコンテキストセットアップ応答を前記ＤＵから受信することと、
前記ＣＵ−ＣＰにより、前記ＤＵから受信されたものとしてのベアラごとの前記少なくとも１つの１つのＤＬ  ＴＥＩＤを含むベアラ修正要求を前記ＣＵ−ＵＰへ送信することと、
前記ＣＵ−ＣＰにより、前記ＣＵ−ＵＰからベアラ修正応答を受信することと、を行わせるように動作可能である、ネットワークノード。
【請求項１６】
ユーザ機器（ＵＥ）から基地局への送信信号に由来するユーザデータを受け付けるように構成される通信インタフェースを備えるホストコンピュータを含む通信システムであって、前記基地局は、無線インタフェース及び処理回路を備え、前記基地局の処理回路は、
中央ユニットユーザプレーン（ＣＵ−ＵＰ）から、データ無線ベアラ（ＤＲＢ）に関連付けられる少なくとも１つのアップリンクＴＥＩＤ（ＵＬ  ＴＥＩＤ）を受信し、
分散ユニット（ＤＵ）へ、前記ＤＲＢに関連付けられる前記少なくとも１つのＵＬ  ＴＥＩＤを送信し、
前記ＤＵから、前記ＤＲＢに関連付けれられる少なくとも１つのダウンリンクＴＥＩＤ（ＤＬ  ＴＥＩＤ）を受信し、
前記ＣＵ−ＵＰへ、前記ＤＲＢに関連付けられる前記少なくとも１つのＤＬ  ＴＥＩＤを送信する、ように構成される、通信システム。
【手続補正２】
【補正対象書類名】明細書
【補正対象項目名】００２７
【補正方法】変更
【補正の内容】
【００２７】
２．ＴＥＩＤが順に交換される（まずＤＬ  ＴＥＩＤの割当て）（１）ＣＵ−ＣＰは、Ｆ１−Ｃインタフェース及び例えばＦ１ＡＰのＵＥコンテキストセットアップ手続を用いて、ＤＲＢごとに１つの既定のＵＬ  ＴＥＩＤ（即ち、最終的なＴＥＩＤと置換されることになる一時的なＴＥＩＤ）をＤＵへ送信し、ＤＵからＤＲＢごとに１つのＤＬ  ＴＥＩＤを取得する。（２）ＣＵ−ＣＰは、Ｅ１インタフェース及び例えばＥ１ＡＰのベアラセットアップ手続を用いて、ＤＵにより割り当てられたＤＲＢごとのＤＬ  ＴＥＩＤをＣＵ−ＵＰへ送信し、ＣＵ−ＵＰからＵＬ  ＴＥＩＤ（ＤＵにてセットアップされる必要のあるＤＲＢごとに１つのＵＬ  ＴＥＩＤ）を取得する。したがって、ＤＵは、Ｆ１−ＵベアラをＣＵ−ＵＰと確立することができるようになるが、ＤＬ  ＴＥＩＤのみが確定するためにＤＬトラフィックを送信できるだけとなる。これは、少なくとも、ＣＵ−ＵＰがＤＬ  ＴＥＩＤを受信するとすぐにＵＥがＤＬトラフィックを受信できることを確実化する。（３）最後に、ＣＵ−ＣＰは、Ｆ１−Ｃインタフェース及び例えばＦ１ＡＰのＵＥコンテキストセットアップ手続を用いて、ＤＵへＤＲＢごとに１つのＵＬ  ＴＥＩＤを送信する。
【手続補正３】
【補正対象書類名】明細書
【補正対象項目名】００７８
【補正方法】変更
【補正の内容】
【００７８】
上述したように、ネットワーク８００の例示的な実施形態は、１つ以上のワイヤレスデバイス８１０と、ワイヤレスデバイス８１０と（直接的に又は間接的に）通信可能な様々なタイプの１つ以上のネットワークノードとを含み得る。ワイヤレスデバイス８１０は、セルラー又はモバイル通信システムにおいて、ノードとの間で及び／若しくは他のワイヤレスデバイスとの間で通信する、いかなるタイプのワイヤレスデバイスへの言及であってもよい。ワイヤレスデバイス８１０の例は、モバイルフォン、スマートフォン、ＰＤＡ（Personal Digital Assistant）、ポータブルコンピュータ（例えば、ラップトップ、タブレット）、センサ、モデム、マシンタイプ通信（ＭＴＣ）デバイス／マシンツーマシン（Ｍ２Ｍ）デバイス、ＬＥＥ（laptop embedded equipment）、ＬＭＥ（laptop mounted equipment）、ＵＳＢドングル、Ｄ２Ｄ対応デバイス、又はワイヤレス通信を提供可能な他のデバイスを含む。ワイヤレスデバイス８１０は、いくつかの実施形態において、ＵＥ、ステーション（ＳＴＡ）、デバイス、又は端末として言及されてもよい。また、いくつかの実施形態において、“無線ネットワークノード”（又は単に“ネットワークノード”）という汎用的な用語が使用されている。それは、いかなる種類のネットワークノードであってもよく、ノードＢ、マルチ標準無線（ＭＳＲ）ＢＳといったＭＳＲ無線ノード、ｅＮｏｄｅＢ、ネットワークコントローラ、無線ネットワークコントローラ（ＲＮＣ）、基地局コントローラ（ＢＳＣ）、リレーを制御するリレードナーノード、基地送受信局（ＢＴＳ）、アクセスポイント（ＡＰ）、送信ポイント、送信ノード、リモートＲＦユニット（ＲＲＵ）、リモート無線ヘッド（ＲＲＨ）、分散アンテナシステム（ＤＡＳ）内のノード、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴ、又は任意の適したネットワークノードを含み得る。ネットワークノード８１５、ワイヤレスデバイス８１０及び他のネットワークノード（無線ネットワークコントローラ又はコアネットワークノード）の例示的な実施形態が、それぞれ図１１、図１４及び図１５を基準としてより詳細に説明される。
【手続補正４】
【補正対象書類名】明細書
【補正対象項目名】００９０
【補正方法】変更
【補正の内容】
【００９０】
他の実施形態において、ＣＵ−ＵＰが単一のＣＵ−ＣＰへ接続されている場合、ＴＥＩＤの割当ては、ステップ１００６で、ＣＵ−ＣＰにより管理される。具体的な実施形態によれば、ＵＬ  ＴＥＩＤは、ＵＥ  ＴＥＩＤ及びＤＬ  ＴＥＩＤが半静的に交換される形で割当てられ得る。例えば、具体的な実施形態において、ＣＵ−ＣＰは以下の通りであってよい：
・ＣＵ−ＵＰへセットアップ要求を送信；
・ＣＵ−ＣＰにより確立されるベアラのために予約されたアップリンクＴＥＩＤ（ＵＬ  ＴＥＩＤ）の範囲を含むセットアップ応答をＣＵ−ＵＰから受信；
・ベアラごとに１つのＵＬ  ＴＥＩＤを割当て；
・確立された各ベアラについてのＤＬ及びＵＬのＴＥＩＤを含むベアラセットアップ要求をＣＵ−ＵＰへ送信；
・ＣＵ−ＵＰからベアラ修正応答を受信。
具体的な実施形態において、例えば、ベアラごとに１つのＵＬ  ＴＥＩＤの割当ては、ベアラごとのＵＬ  ＴＥＩＤを含むＵＥコンテキストセットアップ要求をＤＵへ送信することと、ベアラごとのＤＬ  ＴＥＩＤを含むＵＥコンテキストセットアップ応答をＤＵから受信することと、を含んでもよい。
【手続補正５】
【補正対象書類名】明細書
【補正対象項目名】０１１８
【補正方法】変更
【補正の内容】
【０１１８】
図１８は、１つの実施形態に従った、通信システムにおいて実装される方法を描いたフローチャートである。通信システムは、図１６及び図１７を参照しながら説明したものであり得る、ホストコンピュータ、基地局、及びＵＥを含む。本開示を簡明にするために、図１８の図への参照のみが本セクションに含められるであろう。本方法の第１ステップ３４１０において、ホストコンピュータは、ユーザデータを提供する。第１ステップ３４１０のオプションとしてのサブステップ３４１１において、ホストコンピュータは、ホストアプリケーションを実行することによりユーザデータを提供する。第２ステップ３４２０において、ホストコンピュータは、ユーザデータを搬送するＵＥへの送信を開始する。オプションとしての第３ステップ３４３０において、基地局は、本開示を通じて説明される実施形態の教示に従って、ホストコンピュータが開始した上記送信において搬送されたユーザデータをＵＥへ送信する。オプションとしての第４ステップ３４４０において、ＵＥは、ホストコンピュータにより実行されるホストアプリケーションに関連付けられるクライアントアプリケーションを実行する。
【手続補正６】
【補正対象書類名】明細書
【補正対象項目名】０１２０
【補正方法】変更
【補正の内容】
【０１２０】
図２０は、１つの実施形態に従った、通信システムにおいて実装される方法を描いたフローチャートである。通信システムは、図１６及び図１７を参照しながら説明したものであり得る、ホストコンピュータ、基地局、及びＵＥを含む。本開示を簡明にするために、図２０の図への参照のみが本セクションに含められるであろう。本方法のオプションとしての第１ステップ３６１０において、ＵＥは、ホストコンピュータにより提供される入力データを受信する。追加的に又は代替的に、オプションとしての第２ステップ３６２０において、ＵＥがユーザデータを提供する。第２ステップ３６２０のオプションとしてのサブステップ３６２１において、ホストコンピュータは、ホストアプリケーションを実行することによりユーザデータを提供する。第１ステップ３６１０のさらなるオプションとしてのサブステップ３６１１において、ＵＥは、ホストコンピュータにより提供される入力データの受信へのリアクションにおいて、ユーザデータを提供するクライアントアプリケーションを実行する。ユーザデータの提供中に、実行されるクライアントアプリケーションは、ユーザから受け付けられるユーザ入力をさらに考慮してもよい。ユーザデータが提供された具体的なやり方に関わらず、ＵＥは、オプションとしての第３ステップ３６３０において、ホストコンピュータへのユーザデータの送信を開始する。本方法の第４ステップ３６４０において、ホストコンピュータは、本開示を通じて説明される実施形態の教示に従って、ＵＥから送信されるユーザデータを受信する。
【手続補正７】
【補正対象書類名】明細書
【補正対象項目名】０１２１
【補正方法】変更
【補正の内容】
【０１２１】
図２１は、１つの実施形態に従った、通信システムにおいて実装される方法を描いたフローチャートである。通信システムは、図１６及び図１７を参照しながら説明したものであり得る、ホストコンピュータ、基地局、及びＵＥを含む。本開示を簡明にするために、図２１の図への参照のみが本セクションに含められるであろう。オプションとしての第１ステップ３７１０において、本開示を通じて説明される実施形態の教示に従って、基地局は、ＵＥからのユーザデータを受信する。オプションとしての第２ステップ３７２０において、基地局は、受信したユーザデータのホストコンピュータへの送信を開始する。第３ステップ３７３０において、ホストコンピュータは、基地局により開始される上記送信において搬送されるユーザデータを受信する。
【手続補正８】
【補正対象書類名】明細書
【補正対象項目名】０１４８
【補正方法】変更
【補正の内容】
【０１４８】
［２７］実施形態２６に記載のネットワークノードであって、
前記ＣＵ−ＵＰは、前記複数のＣＵ−ＣＰへ接続されており、前記ＣＵ−ＵＰによる前記ＴＥＩＤの前記割当ては、
アップリンクＴＥＩＤ（ＵＬ  ＴＥＩＤ）及びダウンリンクＴＥＩＤ（ＤＬ  ＴＥＩＤ）を順に交換すること、を含み、前記ＤＬ  ＴＥＩＤは、前記ＵＬ  ＴＥＩＤの前に交換される、ネットワークノード。
【国際調査報告】
2021503772.tif 000024
2021503772.tif 000025
2021503772.tif 000026
2021503772.tif 000027